(57)【特許請求の範囲】
【請求項１】
ユーザ機器（ＵＥ）であって、
ＷＬＡＮ（Wireless  Local  Area  Network）通信機と、
セルラノードと通信するセルラ通信機と、
ＡＮＤＳＦ（Access  Network  Discovery  and  Selection  Function）サーバから管理オブジェクト（Management  Object：ＭＯ）を受信するＡＮＤＳＦクライアントモジュールあって、前記ＭＯは、セルラ／ＷＬＡＮアグリゲーションモードを示すＷＬＡＮ移動性種類指示子と、ＡＮＤＳＦモードに対する前記セルラ／ＷＬＡＮアグリゲーションモードの選好度を示すＷＬＡＮ移動性選好度値と、を含むＷＬＡＮ移動性優先度ノードを有する、ＡＮＤＳＦクライアントモジュールと、
前記ＷＬＡＮ移動性選好度値が所定優先度範囲内にないとき、前記ＷＬＡＮ移動性選好度値に基づき、前記セルラ／ＷＬＡＮアグリゲーションモード及びＡＮＤＳＦモードとの間で選択し、前記ＷＬＡＮ移動性選好度値が所定優先度範囲内にあるとき、前記ＷＬＡＮ移動性選好度値と前記ＡＮＤＳＦモードの選好度値との間の比較に基づき、前記セルラ／ＷＬＡＮアグリゲーションモードと前記ＡＮＤＳＦモードとの間で選択し、前記ＵＥに選択したＷＬＡＮ移動性モードに従いＷＬＡＮと通信させる制御部と、
を有するＵＥ。
【請求項２】
前記所定優先度範囲は、１乃至２５０の間である、請求項１に記載のＵＥ。
【請求項３】
前記ＷＬＡＮ移動性選好度値が所定値を含むとき、前記制御部は、前記セルラ／ＷＬＡＮアグリゲーションモードの選択を制限する、請求項１又は２に記載のＵＥ。
【請求項４】
前記所定値は２５４である、請求項３に記載のＵＥ。
【請求項５】
前記ＷＬＡＮ移動性選好度値が所定値を含むとき、前記制御部は、前記セルラ／ＷＬＡＮアグリゲーションモードの選択を禁止する、請求項１又は２に記載のＵＥ。
【請求項６】
前記所定値は２５５である、請求項５に記載のＵＥ。
【請求項７】
１又は複数のアンテナ、メモリ、及びプロセッサを有する請求項１又は２に記載のＵＥ。
【請求項８】
ＡＮＤＳＦ（Access  Network  Discovery  and  Selection  Function）サーバにより実行される方法であって、前記方法は、
１又は複数のＡＮＤＳＦポリシを含むＡＮＤＳＦ管理オブジェクト（Management  Object：ＭＯ）を決定するステップであって、前記ＡＮＤＳＦ  ＭＯは、ＷＬＡＮ（Wireless  Local  Area  Network）移動性優先度ノードを含み、前記ＷＬＡＮ移動性優先度ノードは、セルラ／ＷＬＡＮアグリゲーションモードを示すＷＬＡＮ移動性種類指示子と、前記セルラ／ＷＬＡＮアグリゲーションモードの選好度を示すＷＬＡＮ移動性選好度値と、を含み、前記ＷＬＡＮ移動性選好度値は、前記セルラ／ＷＬＡＮアグリゲーションモードとＡＮＤＳＦモードとの間の選択が前記ＷＬＡＮ移動性選好度値に基づくとき、所定優先度範囲外に設定され、前記セルラ／ＷＬＡＮアグリゲーションモードとＡＮＤＳＦモードとの間の選択が前記ＷＬＡＮ移動性選好度値と前記ＡＮＤＳＦモードの選好度値との間の比較に基づくとき、所定優先度範囲に設定される、ステップと、
前記ＡＮＤＳＦ  ＭＯをユーザ機器（ＵＥ）へ送信するステップと、
を含む方法。
【請求項９】
前記セルラ／ＷＬＡＮアグリゲーションモードを示す第１ＷＬＡＮ移動性種類指示子及び前記セルラ／ＷＬＡＮアグリゲーションモードの前記選好度を示す第１ＷＬＡＮ移動性選好度値を含む第１ＷＬＡＮ移動性優先度ノードと、ＡＮＤＳＦモードを示す第２ＷＬＡＮ移動性種類指示子及び前記ＡＮＤＳＦモードの選好度を示す第２ＷＬＡＮ移動性選好度値を含む少なくとも１つの第２ＷＬＡＮ移動性優先度ノードと、を含むよう前記ＡＮＤＳＦ  ＭＯを設定するステップ、を含む請求項８に記載の方法。
【請求項１０】
前記第１ＷＬＡＮ移動性選好度値と前記第２ＷＬＡＮ移動性選好度値との間の比較に基づき、前記ＵＥが前記セルラ／ＷＬＡＮアグリゲーションモードと前記ＡＮＤＳＦモードとの間で選択することを示すために、所定優先度範囲内の第１値を有するよう前記第１ＷＬＡＮ移動性選好度値を設定し、前記所定優先度範囲内の第２値を有するよう前記第２ＷＬＡＮ移動性選好度値を設定するステップ、を有する請求項９に記載の方法。
【請求項１１】
前記ＵＥが前記セルラ／ＷＬＡＮアグリゲーションモードの選択を制限することを示す所定値に前記ＷＬＡＮ移動性選好度値を設定するステップ、を有する請求項８に記載の方法。
【請求項１２】
前記ＵＥが前記セルラ／ＷＬＡＮアグリゲーションモードの選択を禁止されることを示す所定値に前記ＷＬＡＮ移動性選好度値を設定するステップ、を有する請求項８に記載の方法。
【請求項１３】
プロセッサにユーザ機器（ＵＥ）において方法を実施させるコンピュータプログラムであって、前記方法は、
ＡＮＤＳＦ（Access  Network  Discovery  and  Selection  Function）サーバから管理オブジェクト（Management  Object：ＭＯ）を受信するステップであって、前記ＭＯは、セルラ／ＷＬＡＮ（Wireless  Local  Area  Network）アグリゲーションモードを示すＷＬＡＮ移動性種類指示子とＡＮＤＳＦモードに対する前記セルラ／ＷＬＡＮアグリゲーションモードの選好度を示すＷＬＡＮ移動性選好度値を含むＷＬＡＮ移動性優先度ノードを有する、ステップと、
前記ＷＬＡＮ移動性選好度値が所定優先度範囲内にないとき、前記ＷＬＡＮ移動性選好度値に基づき、前記セルラ／ＷＬＡＮアグリゲーションモードと前記ＡＮＤＳＦモードとの間で選択し、前記ＷＬＡＮ移動性選好度値が所定優先度範囲内にあるとき、前記ＷＬＡＮ移動性選好度値と前記ＡＮＤＳＦモードの選好度値との間の比較に基づき、前記セルラ／ＷＬＡＮアグリゲーションモードとＡＮＤＳＦモードとの間で選択するステップと、
を有する、コンピュータプログラム。
【請求項１４】
前記方法は、前記ＷＬＡＮ移動性選好度値が前記セルラ／ＷＬＡＮアグリゲーションモードが望ましいことを示し、及び前記ＵＥが前記セルラ／ＷＬＡＮアグリゲーションモードを使用するようセルラノードにより命令されるとき、前記ＡＮＤＳＦモードより前記セルラ／ＷＬＡＮアグリゲーションモードを選択するステップ、を有する、請求項１３に記載のコンピュータプログラム。
【請求項１５】
前記方法は、前記ＷＬＡＮ移動性選好度値が前記セルラ／ＷＬＡＮアグリゲーションモードが望ましいことを示し、及び前記ＵＥが前記セルラ／ＷＬＡＮアグリゲーションモードを使用するようセルラノードにより命令されるとき、ＡＮＤＳＦクライアントに対するＷＬＡＮ存在指示を無効にするステップ、を有する、請求項１３に記載のコンピュータプログラム。
【請求項１６】
前記方法は、前記ＷＬＡＮ移動性選好度値が前記ＡＮＤＳＦモードが望ましいことを示し、且つアクティブＡＮＤＳＦポリシが前記ＵＥにおいて利用可能であるとき、前記セルラ／ＷＬＡＮアグリゲーションモードより前記ＡＮＤＳＦモードを選択するステップ、を有する、請求項１３乃至１５のいずれか一項に記載のコンピュータプログラム。
【発明の詳細な説明】
【技術分野】
【０００１】
［関連出願］
本願は、米国仮特許出願番号第６２/０７６,３６１号、名称「LTE/WLAN  Aggregation  Coexistence  with  ANDSF」、２０１４年１１月６日出願、の利益及び優先権を主張する。該米国仮特許出願の開示全体は、参照することにより本願明細書に組み込まれる。
【０００２】
［技術分野］
本願明細書に記載の幾つかの実施形態は、概して、ユーザ機器（ＵＥ）の移動性モードを選択することに関する。
【背景技術】
【０００３】
無線通信装置、例えばモバイル装置は、複数の無線通信技術を利用するよう構成されて良い。
【０００４】
例えば、ユーザ機器（ＵＥ）装置は、セルラ接続、例えばＬＴＥ（Long  Term  Evolution）セルラ接続、並びにＷＬＡＮ（wireless−local−area−network）接続、例えばＷｉＦｉ（Wireless−Fidelity）接続、を利用するよう構成されて良い。
【０００５】
ＷＬＡＮとセルラネットワークとの間の連携及び／又は統合のレベルを向上するソリューションに対する必要性が存在する。
【図面の簡単な説明】
【０００６】
説明を簡単且つ明確にするため、図中に示された要素は、必ずしも縮尺通りに描かれていないことが理解される。例えば、幾つかの要素の寸法は、提示の明確さのため、他の要素に比して誇張されている。さらに、参照符号は、対応する又は同様の要素を示すために、図の間で繰り返され得る。図は以下の通りである。
【図１】幾つかの例証的実施形態による、システムの概略ブロック図である。
【図２】幾つかの例証的実施形態による、ＡＮＤＳＦ（Access  Network  Discovery  and  Selection  Function）管理オブジェクト（Management  Object：ＭＯ）のポリシノードサブオブジェクトの概略図である。
【図３】幾つかの例証的実施形態による、ユーザ機器（ＵＥ）の移動性モードを選択する方法の概略フローチャート図である。
【図４】幾つかの例証的実施形態による、ＵＥの移動性モードを選択する方法の概略フローチャート図である。
【図５】幾つかの例証的実施形態による、製品の概略図である。
【発明を実施するための形態】
【０００７】
以下の詳細な説明では、幾つかの実施形態の完全な理解を提供するために、多くの詳細事項が説明される。しかしながら、代替の実施形態がそのような特定の詳細にかかわらず実施できることが当業者により理解されるだろう。他の例では、議論を曖昧にすることを避けるため、良く知られた方法、手順、コンポーネント及び／又は回路は詳細に説明されない。
【０００８】
本願明細書で、例えば「処理する（processing）」、「計算する（computing）」、「計算する（calculating）」、「決定する（determining）」、「確立する（establishing）」、「分析する（analyzing）」、「チェックする（checking）」、等のような用語を用いる議論は、コンピュータのレジスタ及び／又はメモリ内の物理（例えば、電子）量として表されるデータを操作及び／又は同様にコンピュータのレジスタ及び／又はメモリ又は動作及び／又は処理を実行するために命令を格納できる他の情報記憶媒体内の物理（例えば、電子）量として表される他のデータに変換する、コンピュータ、コンピューティングプラットフォーム、コンピューティングシステム、又は他の電子コンピューティング装置の動作及び／又は処理を表しても良い。
【０００９】
本願明細書で用いられる用語「複数の（plurality、a  plurality）」は、例えば、「複数の（multiple）」又は「２以上の」を含む。例えば、「複数のアイテム」は、２以上のアイテムを含む。
【００１０】
「一実施形態」、「ある実施形態」、「例証的実施形態」、「種々の実施形態」等のような参照は、そのように記載された実施形態が特定の機能、構造又は特徴を含むこと、しかし各実施形態が特定の機能、構造又は特徴を必ずしも含まないことを意味する。さらに、表現「一実施形態では」の繰り返しの使用は、同一であっても良いが必ずしも同一の実施形態を参照しない。
【００１１】
本願明細書で用いられるように、特に断らない限り、序数の形容詞「第１の」、「第２の」、「第３の」、等の共通の目的語を記述するための使用は、単に、同様の物の異なる存在が言及されていることを示し、記載されている物が時間的又は空間的に所与の順序に、順位付けに、又は任意の他の方法で存在しなければならないことを意味するものではない。
【００１２】
幾つかの実施形態は、種々の装置及びシステム、例えば、ユーザ機器（ＵＥ）、モバイル装置（ＭＤ）、無線局（ＳＴＡ）、パーソナルコンピュータ（ＰＣ）、デスクトップコンピュータ、モバイルコンピュータ、ラップトップコンピュータ、ノートブックコンピュータ、タブレットコンピュータ、スマートフォン装置、サーバコンピュータ、ハンドヘルドコンピュータ、ハンドヘルド装置、ＰＤＡ（Personal  Digital  Assistant）装置、ハンドヘルドＰＤＡ装置、オンボード装置、オフボード装置、ハイブリッド装置、車両装置、非車両装置、モバイル又はポータブル装置、消費者装置、非モバイル若しくは非ポータブル装置、無線通信局、無線通信装置、無線アクセスポイント（ＡＰ）、無線ノード、基地局（ＢＳ）、有線若しくは無線ルータ、有線若しくは無線モデム、ビデオ装置、オーディオ装置、オーディオ−ビデオ（Ａ／Ｖ）装置、有線若しくは無線ネットワーク、無線エリアネットワーク、セルラネットワーク、セルラノード、セルラ装置、ＷＬＡＮ（Wireless  Local  Area  Network）、ＭＩＭＯ（Multiple  Input  Multiple  Output）通信機若しくは装置、ＳＩＭＯ（Single  Input  Multiple  Output）通信機若しくは装置、ＭＩＳＯ（Multiple  Input  Single  Output）通信機若しくは装置、１又は複数の内部アンテナ及び／又は外部アンテナを備える装置、ＤＶＢ（Digital  Video  Broadcast）装置又はシステム、複数標準無線装置又はシステム、有線若しくは無線ハンドヘルド装置、例えばスマートフォン、ＷＡＰ（Wireless  Application  Protocol）装置、自動販売機、販売端末、等と関連して使用されて良い。
【００１３】
幾つかの実施形態は、既存のＬＴＥ（Long  Term  Evolution）標準(以下を含む：３GPP  TS３６.３００(３GPP  TS３６.３００  V１１.７.０(２０１３−０９);  Technical  Specification;  ３rd  Generation  Partnership  Project;  Technical  Specification  Group  Radio  Access  Network;  Evolved  Universal  Terrestrial  Radio  Access(E−UTRA)  and  Evolved  Universal  Terrestrial  Radio  Access  Network  (E−UTRAN);  Overall  description;  Stage  ２  (Release  １１));  ３GPP  TS３６.３３１  (３GPP  TS３６.３３１  V１１.５.０(２０１３−０９);  Technical  Specification;  ３rd  Generation  Partnership  Project;  Technical  Specification  Group  Radio  Access  Network;  Evolved  Universal  Terrestrial  Radio  Access  (E−UTRA);  Radio  Resource  Control  (RRC);  Protocol  specification  (Release  １１));  ３GPP  TS２４.３０２  (３GPP  TS２４.３０２  V１２.３.０(２０１３−１２);  Technical  Specification;  ３rd  Generation  Partnership  Project;  Technical  Specification  Group  Core  Network  and  Terminals;  Access  to  the  ３GPP  Evolved  Packet  Core(EPC)  via  non−３GPP  access  networks;  Stage  ３(Release  １２));  ３GPP  ２５.３３１(３GPP  TS２５.３３１  V１１.７.０(２０１３−０９);  Technical  Specification;  ３rd  Generation  Partnership  Project;  Technical  Specification  Group  Radio  Access  Network;  Radio  Resource  Control(RRC);  Protocol  specification(Release  １１));  ３GPP  TS２５.３０４(３GPP  TS２５.３０４V１１.４.０(２０１３−０９);  Technical  Specification;  ３rd  Generation  Partnership  Project;  Technical  Specification  Group  Radio  Access  Network;  User  Equipment(UE)  procedures  in  idle  mode  and  procedures  for  cell  reselection  in  connected  mode(Release  １１));  ３GPP  TS２３.４０２(３GPP  TS２３.４０２  V１２.３.０(２０１３−１２);  Technical  Specification;  ３rd  Generation  Partnership  Project;  Technical  Specification  Group  Services  and  System  Aspects;  Architecture  enhancements  for  non−３GPP  accesses(Release  １２));  and  ３GPP  TS２４.３１２(３GPP  TS２４.３１２  V１２.３.０(２０１３−１２);  Technical  Specification;  ３rd  Generation  Partnership  Project;  Technical  Specification  Group  Core  Network  and  Terminals;  Access  Network  Discovery  and  Selection  Function(ANDSF)  Management  Object(MO)(Release  １２)))、及び／又は将来バージョン及び／又はそれらの派生物に従い動作する装置及び／又はネットワーク、既存のIEEE８０２.１６標準(IEEE−Std  ８０２.１６,  ２００９  Edition,  Air  Interface  for  Fixed  Broadband  Wireless  Access  Systems;  IEEE−Std  ８０２.１６e,  ２００５  Edition,  Physical  and  Medium  Access  Control  Layers  for  Combined  Fixed  and  Mobile  Operation  in  Licensed  Bands;  amendment  to  IEEE  Std８０２.１６−２００９,  developed  by  Task  Group  m）及び／又は将来バージョン及び／又はそれらの派生物に従い動作する装置及び／又はネットワーク、上述のネットワークの部分であるユニット及び／又は装置、等と関連して使用されて良い。
【００１４】
幾つかの実施形態は、無線通信信号及び／又はシステム、例えば無線周波数（Radio  Frequency：ＲＦ）、赤外線（Infra  Red：ＩＲ）、ＦＤＭ（Frequency−Division  Multiplexing）、ＯＦＤＭ（Orthogonal  FDM）、ＳＣ−ＦＤＭＡ（Single  Carrier  Frequency  Division  Multiple  Access）、ＴＤＭ（Time−Division  Multiplexing）、ＴＤＭＡ（Time−Division  Multiple  Access）、Ｅ−ＴＤＭＡ（Extended  TDMA）、ＧＰＲＳ（General  Packet  Radio  Service）、拡張ＧＰＲＳ、ＣＤＭＡ（Code−Division  Multiple  Access）、ＷＣＤＭＡ（登録商標）（Wideband  CDMA）、ＣＤＭＡ２０００、単一キャリアＣＤＭＡ、マルチキャリアＣＤＭＡ、ＭＤＭ（Multi−Carrier  Modulation）、ＤＭＴ（Discrete  Multi−Tone）、Ｂｌｕｅｔｏｏｔｈ（登録商標）、ＧＰＳ（Global  Positioning  System）、Ｗｉ−Ｆｉ、Ｗｉ−Ｍａｘ、ＺｉｇＢｅｅ（登録商標）、ＵＷＢ（Ultra−Wideband）、ＧＳＭ（登録商標）（Global  System  for  Mobile  communication）、第２世代（２Ｇ）、２．５Ｇ、３Ｇ、３．５Ｇ、４Ｇ、４．５Ｇ、第５世代（５Ｇ）モバイルネットワーク、３ＧＰＰ、ＬＴＥ（Long  Term  Evolution）セルラシステム、ＬＴＥ  ａｄｖｎｃｅセルラシステム、ＬＴＥ未認可システム、ＨＳＵＰＡ（High−Speed  Downlink  Packet  Access）、ＨＳＰＡ（High−Speed  Uplink  Packet  Access）、ＨＳＰＡ＋、１ＸＲＴＴ（Single  Carrier  Radio  Transmission  Technology）、ＥＶ−ＤＯ（Evolution−Data  Optimized）、ＥＤＧＥ（Enhanced  Data  rates  for  GSM  Evolution）、等のうちの１又は複数の種類と連携して用いられても良い。他の実施形態は、種々の他の装置、システム、及び／又はネットワークで用いられて良い。
【００１５】
本願明細書で用いられる用語「無線装置」は、例えば、無線通信の可能な装置、無線通信の可能な通信装置、無線通信の可能な通信局、無線通信の可能なポータブル又は非ポ―タブル装置、等を有する。幾つかの例証的実施形態では、無線装置は、コンピュータに統合される周辺機器、又はコンピュータに取り付けられる周辺機器であっても良く或いはそれらを含んでも良い。幾つかの実施形態では、用語「無線装置」は、任意的に、無線サービスを含んでも良い。
【００１６】
無線通信信号に関して本願明細書で用いられる用語「通信する（communicating）」は、無線通信信号を送信すること及び／又は無線通信信号を受信することを含む。例えば、無線通信信号を通信できる無線通信ユニットは、無線通信信号を少なくとも１つの他の無線通信ユニットへ送信するために無線送信機を、及び／又は無線通信信号を少なくとも１つの他の無線通信ユニットから受信するために無線受信機を、有して良い。動詞「通信する（communicating）」は、送信する動作又は受信する動作を表すために使用され得る。例えば、語句「信号を通信する」は、第１の装置により信号を送信する動作を表し、必ずしも第２の装置により信号を受信する動作を含まない。別の例では、語句「信号を通信する」は、第１の装置により信号を受信する動作を表し、必ずしも第２の装置により信号を送信する動作を含まない。
【００１７】
幾つかの例証的実施形態は、ＬＴＥネットワークに関して本願明細書に記載される。しかしながら、他の実施形態は、任意の他の適切なセルラネットワーク又はシステム、例えば、ＵＭＴＳ（Universal  Mobile  Telecommunications  System）セルラシステム、ＧＳＭネットワーク、３Ｇセルラネットワーク、４Ｇセルラネットワーク、４．５Ｇネットワーク、５Ｇセルラネットワーク、ＷｉＭＡＸセルラネットワーク、等において実施されて良い。
【００１８】
幾つかの例証的実施形態は、ＷＬＡＮシステムに関して本願明細書に記載される。しかしながら、他の実施形態は、任意の他の適切な非セルラネットワークにおいて実施されて良い。
【００１９】
幾つかの例証的実施形態は、例えばセルラ、ｍｍ波、及び／又は同様のものを含む技術、周波数、セルサイズ、及び／又はネットワークアーキテクチャの混合の展開を利用し得る異種ネットワーク（ＨｅｔＮｅｔ）と関連して使用されて良い。一例では、ＨｅｔＮｅｔは、広いマクロセルから狭いセル、例えばピコセル及びフェムトセルまでに及ぶ異なるサイズのセルの層を有する無線アクセスネットワークを有して良い。他の実施形態は、任意の他の適切な無線通信ネットワークと連携して用いられて良い。
【００２０】
本願明細書で用いられる用語「アンテナ」は、１又は複数のアンテナ要素、コンポーネント、ユニット、アセンブリ、及び／又はアレイの任意の適切な構成、構造、及び／又は配置を含んで良い。幾つかの実施形態では、アンテナは、別個の送信及び受信アンテナ要素を用いて送信及び受信機能を実施して良い。幾つかの実施形態では、アンテナは、共通の及び／又は統合された送信及び受信要素を用いて送信及び受信機能を実施して良い。アンテナは、例えば、位相配列アンテナ、単一要素アンテナ、ダイポールアンテナ、及び／又はスイッチドビームアンテナのセット、等を有して良い。
【００２１】
用語「セル」は、本願明細書で使用されるとき、ネットワークリソースの結合、例えばダウンリンク及び任意的にアップリンクリソースを有して良い。リソースは、例えばセルラノード（「基地局」としても参照される）等により制御され及び／又は割り当てられて良い。ダウンリンクリソースの搬送波周波数とアップリンクリソースの搬送波周波数との間のリンクは、ダウンリンクリソースで送信されるシステム情報の中で示されて良い。
【００２２】
図１を参照すると、幾つかの例証的実施形態による、システム１００のブロック図を概略的に示す。
【００２３】
図１に示すように、幾つかの例証的実施形態では、システム１００は、コンテンツ、データ、情報及び／又は信号を１又は複数の無線媒体、例えば無線チャネル、セルラチャネル、ＲＦチャネル、ＷｉＦｉ（Wireless  Fidelity）チャネル、ＩＲチャネル、等を介して通信できる１又は複数の無線通信装置を有して良い。例えば、後述する。システム１００の１又は複数の要素は、任意的に、任意の適切な有線通信リンクを介して通信可能であって良い。
【００２４】
幾つかの例証的実施形態では、システム１００は、少なくとも１つの無線アクセスネットワーク（ＲＡＮ）１１９を介して及び／又は少なくとも１つの非セルラネットワークを介して１又は複数の有線ネットワーク１８０と通信可能な少なくとも１つのユーザ機器（ＵＥ）１０２を有して良い。例えば後述する通りである。
【００２５】
幾つかの例証的実施形態では、ＵＥ１０２は、例えば、モバイルコンピュータ、ＭＤ、ＳＴＡ、ラップトップコンピュータ、ノートブックコンピュータ、タブレットコンピュータ、Ｕｌｔｒａｂｏｏｋ（登録商標）コンピュータ、モバイルインターネット装置、ハンドヘルドコンピュータ、ハンドヘルド装置、記憶装置、ＰＤＡ装置、ハンドヘルドＰＤＡ装置、ＩｏＴ（Internet  of  Things）装置、オンボード装置、オフボード装置、ハイブリッド装置（例えば、セルラ電話機機能をＰＤＡ装置機能と結合する）、消費者装置、車載装置、非車載装置、モバイル若しくはポータブル装置、移動電話機、携帯電話機、ＰＣＳ装置、モバイル若しくはポータブルＧＰＳ装置、ＤＶＢ装置、比較的小型なコンピューティング装置、非デスクトップコンピュータ、ＣＳＬＬ（Carry  Small  Live  Large）装置、ＵＭＤ（Ultra  Mobile  Device）、ＵＭＰＣ（Ultra  Mobile  PC）、ＭＩＤ（Mobile  Internet  Device）、「折り紙」装置又はコンピューティング装置、ビデオ装置、オーディオ装置、Ａ／Ｖ装置、ゲーム装置、メディアプレイヤ、スマートフォン、等を含み得る。
【００２６】
幾つかの例証的実施形態では、ネットワーク１８０は、１又は複数のパケットデータネットワーク（ＰＤＮ）を含んで良い。例えば、ネットワーク１８０は、インターネットネットワーク、ＩＰマルチメディアコアネットワークサブシステム（ＩＭＳ）ネットワーク、及び／又は任意の他のＰＤＮを有して良い。他の実施形態では、ネットワーク１８０は、任意の他の適切な追加及び／又は代替ネットワークを有して良い。
【００２７】
幾つかの例証的実施形態では、ＲＡＮ１１９は、１又は複数のノード（nodes）により制御される１又は複数のセルを有して良い。例えば、ＲＡＮ１１９は、ｅＮＢ（evolved  Node  B）１０４、ｅＮＢ１９６、及び／又は任意の他のセルラノード、例えば、基地局（ＢＳ）、基地通信局（ＢＴＳ）、等を有して良い。
【００２８】
幾つかの例証的実施形態では、ｅＮＢ１０４は、無線リソース管理（radio  resource  management：ＲＲＭ）、無線ベアラ制御、無線アドミッション制御（アクセス制御）、接続移動性管理、ＵＥとｅＮＢ無線機との間のリソーススケジューリング、例えばアップリンク及びダウンリンクの両方におけるＵＥへのリソースの動的割り当て、ヘッダ圧縮、ユーザデータストリームのリンク暗号化、宛先、例えば別のｅＮＢ又はＥＰＣ（Evolved  Packet  Core）に向けたユーザデータのパケットルーティング、ページングメッセージのスケジューリング及び／又は送信、例えば着呼及び／又は接続要求、ブロードキャスト情報調整、測定レポート、及び／又は任意の他の動作を実行するよう構成されて良い。
【００２９】
幾つかの例証的実施形態では、システム１００は、非セルラネットワーク、例えばＷＬＡＮアクセスポイント（ＡＰ）１０６により管理されるＷＬＡＮ、例えば基本サービスセット（Basic  Service  Set：ＢＳＳ）、を有して良い。
【００３０】
幾つかの例証的実施形態では、非セルラネットワークは、少なくとも部分的に、ＲＡＮ１１９のカバレッジエリアの中にあって良い。例えば、ＡＰ１０６は、ｅＮＢ１０４のカバレッジエリアの中にあって良い。
【００３１】
幾つかの例証的実施形態では、システム１００は、ＵＥ１０２に１又は複数のサービスを提供し及び／又はＵＥ１０２とＲＡＮ１１９との及び／又はネットワーク１８０との間の通信を設定し及び／又は管理するよう構成されて良いコアネットワーク（ＣＮ又はＣＮＷ）１６０も有して良い。例えば後述する通りである。
【００３２】
幾つかの例証的実施形態では、ＣＮ１６０は、ＵＥ１０２とネットワーク１８０のＰＤＮとの間のＰＤＮ接続をサポートするために１又は複数のＰＤＮゲートウェイ（ＰＧＷ）１７３を有して良い。
【００３３】
幾つかの例証的実施形態では、ＰＧＷ１７３は、アクセスポイント名（Access  Point  Name：ＡＰＮ）と関連付けられて良い。ＵＥ１０２は、ＰＧＷ１７３のＡＰＮを利用して、例えばＰＧＷ１７３を介してネットワーク１８０への接続を実現して良い。
【００３４】
幾つかの例証的実施形態では、コアネットワーク１６０は、ＲＡＴ（Radio  Access  Technology）ネットワーク、例えばＲＡＮ１１９及び／又はＷＬＡＮ１０６の間の１又は複数のステアリングトラフィック間のステアリング及び／又は通信においてＵＥ１０２を支援するよう構成されて良いＡＮＤＳＦ（Access  Network  Discovery  and  Selection  Function）サーバ１６２を有して良い。例えば後述する通りである。
【００３５】
幾つかの例証的実施形態では、ＡＮＤＳＦサーバ１６２は、１又は複数のＡＮＤＳＦポリシを含む１又は複数のＡＮＤＳＦ管理オブジェクト（Management  Object：ＭＯ）１６３を決定するために、ＡＮＤＳＦポリシモジュール１６８を有して良い。例えば後述する通りである。
【００３６】
幾つかの例証的実施形態では、ＡＮＤＳＦポリシモジュール１６８は、モジュール１６８の機能の少なくとも一部を実行するよう構成されて良い適切な回路及び／又はロジック、例えば制御回路及び／又はロジック、プロセッサ回路及び／又はロジック、メモリ回路及び／又はロジック、及び／又は任意の他の回路及び／又はロジックを含んで良く又はそれを用いて実装されて良い。追加又は代替で、モジュール１６８の１又は複数の機能は、機械及び／又は１又は複数のプロセッサにより実行され得るロジックにより実装されて良い。例えば後述する通りである。
【００３７】
幾つかの例証的実施形態では、ＡＮＤＳＦサーバ１６２は、ＡＮＤＳＦサーバ１６２とシステム１００の１又は複数の他の要素との間の１又は複数のインタフェースを有して良い。例えば後述する通りである。
【００３８】
幾つかの例証的実施形態では、ＡＮＤＳＦサーバ１６２は、１又は複数のＡＮＤＳＦ  ＭＯ１６３をＵＥ１０２に通信するための通信インタフェース１６４を有して良い。例えば、インタフェース１６４は、ＲＡＮ１１９を介して及び／又はＷＬＡＮ  ＡＰ１０６を介してＡＮＤＳＦ  ＭＯ１６３を通信して良い。一例では、インタフェース１６４は、Ｓ１４参照点としてＵＥ１０２と通信するＳ１４インタフェース、又は任意の他のインタフェースを有して良い。
【００３９】
幾つかの例証的実施形態では、ＵＥ１０２は、ＡＮＤＳＦサーバ１６２と通信するよう構成されるＡＮＤＳＦクライアントモジュール１４８を有して良い。例えば、ＡＮＤＳＦクライアントモジュール１４８は、ＡＮＤＳＦサーバ１６２から１又は複数のＡＮＤＳＦポリシを、例えば１又は複数のＡＮＤＳＦ  ＭＯの中で受信するよう構成される。
【００４０】
幾つかの例証的実施形態では、ＡＮＤＳＦポリシは、例えばＷＬＡＮ  ＡＰ１０６及び／又は１又は複数の他のＷＬＡＮ  ＡＰを介して、１又は複数のＷＬＡＮと通信するようＵＥ１０２を支援し及び／又は指示するよう構成される情報を有して良い。
【００４１】
幾つかの例証的実施形態では、ＵＥ１０２、ｅＮＢ１０４、ＷＬＡＮ  ＡＰ１０６、及び／又はＮｏｄｅＢ１９６は、ＵＥ１０２、ＲＡＮ１１９、ＡＰ１０６、及び／又は１又は複数の他の無線通信装置との間の無線通信を実行するために、１又は複数の無線通信ユニットを有して良い。例えば後述する通りである。
【００４２】
幾つかの例証的実施形態では、ＵＥ１０２は、ＲＡＮ１１９と通信するためのセルラ通信機（ＴＲｘ）１４６、及びＷＬＡＮ  ＡＰと通信するためのＷＬＡＮ  ＴＲｘを有して良い。
【００４３】
幾つかの例証的実施形態では、セルラＴＲｘ１４６及び／又はＷＬＡＮ  ＴＲｘ１４７は、１又は複数のアンテナを有して良く、又はそれに関連付けられて良い。一例では、ＵＥ１０２は、少なくとも２つのアンテナ、例えばアンテナ１１２及び１１４、又は任意の他の数のアンテナ、例えば１つのアンテナ又は２以上のアンテナを有して良い。
【００４４】
幾つかの例証的実施形態では、アンテナ１１２及び／又は１１４は、無線通信信号、ブロック、フレーム、送信ストリーム、パケット、メッセージ及び／又はデータを送信する及び／又は受信するのに適する任意の種類のアンテナを含んで良い。例えば、アンテナ１１２及び／又は１１４は、１又は複数のアンテナ要素、コンポーネント、ユニット、アセンブリ、及び／又はアレイの任意の適切な構成、構造、及び／又は配置を有しても良い。例えば、アンテナ１１２及び／又は１１４は、位相アレイアンテナ、ダイポールアンテナ、単一要素アンテナ、スイッチドビームアンテナのセット、及び／又は、等を有して良い。
【００４５】
幾つかの実施形態では、アンテナ１１２及び／又は１１４は、別個の送信及び受信アンテナ要素を用いて送信及び受信機能を実施して良い。幾つかの実施形態では、アンテナ１１２及び／又は１１４は、共通の及び／又は統合された送信／受信要素を用いて送信及び受信機能を実施して良い。
【００４６】
幾つかの例証的実施形態では、セルラＴＲｘ１４６及び／又はＷＬＡＮ  ＴＲｘ１４７は、無線通信信号、ＲＦ信号、フレーム、ブロック、送信ストリーム、パケット、メッセージ、データアイテム、及び／又はデータを送信及び／又は受信できる回路及び／又はロジックを含む１又は複数の無線送信機、受信機及び／又は通信機を有して良い。
【００４７】
幾つかの例証的実施形態では、ＷＬＡＮ  ＴＲｘ１４７は、ＷＬＡＮリンクを介してＡＰ１０６と通信するよう構成されて良く、セルラ通信機１４６は、セルラリンクを介してＲＡＮ１１９と通信するよう構成されて良い。
【００４８】
幾つかの例証的実施形態では、ＷＬＡＮリンクは、例えば、ＷｉＦｉ（Wireless  Fidelity）リンク、ＷｉＧｉｇ（Wireless  Gigabit）リンク、又は任意の他のリンクを有して良い。幾つかの例証的実施形態では、ＷＬＡＮリンクは、例えば、２．４ギガヘルツ（ＧＨｚ）又は５ＧＨｚ周波数帯を、６０ＧＨｚ周波数帯、又は任意の他の周波数帯を介するリンクを有して良い。
【００４９】
幾つかの例証的実施形態では、セルラＴＲｘ１４６は、必要な場合にアンテナビーム形成方法を実行可能である回路及び／又はロジックを含むＭＩＭＯ（multiple  input  multiple  output）送信機受信機システム（図示しない）を有して良い。他の実施形態では、セルラＴＲｘ１４６は、任意の他の送信機及び／又は受信機を有して良い。
【００５０】
幾つかの例証的実施形態では、セルラＴＲｘ１４６は、必要な場合に、データビットをデータシンボルにエンコード及び／又はデコードする回路及び／又はロジックを含むターボデコーダ及び／又はターボエンコーダ（図示しない）を有して良い。他の実施形態では、セルラＴＲｘ１４６は、任意の他のエンコーダ及び／又はデコーダを有して良い。
【００５１】
幾つかの例証的実施形態では、セルラＴＲｘ１４６は、ＯＦＤＭ信号をダウンリンクチャネルを介して例えばＲＡＮ１１９とＵＥ１０２との間で及びＳＣ−ＦＤＭＡ信号をアップリンクチャネル、例えばＵＥ１０２とＲＡＮ１１９との間で通信するよう構成される回路及び／又はロジックを含むＯＦＤＭ及び／又はＳＣ−ＦＤＭＡ変調機及び／又は復調機（図示しない）を有して良い。他の実施形態では、セルラＴＲｘ１４６は、任意の他の変調機及び／又は復調機を有して良い。
【００５２】
幾つかの例証的実施形態では、ＷＬＡＮ  ＴＲｘ１４７は、ＡＰ１０６とのＷＬＡＮリンクを確立して良い。例えば、ＷＬＡＮ  ＴＲｘ１４７は、１又は複数のＳＴＡ、例えば１又は複数のＷｉＦｉ  ＳＴＡ、ＷＬＡＮ  ＳＴＡ、及び／又はミリ波（mmWave）ＳＴＡの機能を実行して良い。ＷＬＡＮリンクは、アップリンク及び／又はダウンリンクを有して良い。ＷＬＡＮダウンリンクは、例えばＡＰ１０６から１又は複数のＳＴＡへの単方向リンクを有して良い。アップリンクは、例えばＳＴＡからＡＰ１０６への単方向リンクを有して良い。
【００５３】
幾つかの例証的実施形態では、ＵＥ１０２は、ＲＡＮ１１９と通信するためにセルラ接続、例えばＬＴＥ（Long  Term  Evolution）セルラ接続、ＵＭＴＳ（Universal  Mobile  Telecommunications  System）接続、又は任意の他のセルラ接続を、及びＡＰ１０６と通信するためにＷＬＡＮ接続、例えばＷｉＦｉ（Wireless−Fidelity）接続又は任意の他のＷＬＡＮ接続を利用するよう構成されて良い。
【００５４】
幾つかの例証的実施形態では、セルラＴＲｘ１４６は、例えば１又は複数のＰＧＷ１７３を介して１又は複数のＰＤＮ接続のトラフィックを通信するために、ＵＥ１０２とＲＡＮ１１９との間のセルラリンクを利用する。
【００５５】
幾つかの例証的実施形態では、ＵＥ１０２は、ＵＥ１０２と１又は複数のＰＧＷ１７３との間の１又は複数のＰＤＮ接続を介して、１又は複数のベアラ、例えば１又は複数のＥＰＳ（Evolved  Packet−switched  System）ベアラを確立して良い。
【００５６】
幾つかの例証的実施形態は、システム１００の１又は複数の要素は、例えばセルラ、ＷＬＡＮ、及び／又は同様のものを含む技術、周波数、セルサイズ、及び／又はネットワークアーキテクチャの混合の展開を利用し得るＨｅｔＮｅｔの機能を実行して良い。
【００５７】
例えば、ＨｅｔＮｅｔは、第１無線通信環境、例えばセルラネットワークを通じてサ―ビスを提供し、及び別の通信環境、例えばＷＬＡＮに切り替えるときに該サービスを維持するよう構成されて良い。ＨｅｔＮｅｔアーキテクチャは、例えば顧客要求の急激な変化に最適に応答するため、電力消費を削減するため、コストを削減するため、効率を向上するため、及び／又は任意の他の利益を達成するために、無線通信環境の混合、例えば、ＷＬＡＮ環境及びセルラ環境を利用することが可能であって良い。
【００５８】
一例では、システム１００は、ネットワーク容量を増強するためにマクロセルラ展開の上位に重ねられる、スモールセルのティア、例えばピコ、フェムト、中継局、ＷｉＦｉ  ＡＰ、等を含むマルチティア、マルチ無線アクセス技術（Multi−RAT）ＨｅｔＮｅｔアーキテクチャを利用して良い。
【００５９】
別の例では、システム１００は、ＷｉＦｉ及び３ＧＰＰ無線インタフェースのような複数の無線を単一の基盤装置に統合するＭｕｌｔｉ−ＲＡＴスモールセルを利用して良い。
【００６０】
他の実施形態では、システム１００は、任意の他のアーキテクチャ及び／又は展開を実装して良い。
【００６１】
幾つかの例証的実施形態は、ＵＥ１０２は、例えばプロセッサ１２４、入力ユニット１１６、出力ユニット１１８、メモリユニット１２０、及び記憶ユニット１２２のうちの１又は複数も有して良い。ＵＥ１０２は、任意的に、他の適切なハードウェアコンポーネント及び／又はソフトウェアコンポーネントを有して良い。幾つかの例証的実施形態では、ＵＥ１０２のコンポーネントの一部又は全部は、共通の筐体又はパッケージに封入されて良く、１又は複数の有線又は無線リンクを用いて相互接続され又は動作可能に関連付けられて良い。
【００６２】
幾つかの例証的実施形態は、ＡＮＤＳＦサーバ１６２は、例えばプロセッサ１７２及び／又はメモリユニット１７１も有して良い。ＡＮＤＳＦサーバ１６２は、任意的に、他の適切なハードウェアコンポーネント及び／又はソフトウェアコンポーネントを有して良い。幾つかの例証的実施形態では、ＡＮＤＳＦサーバ１６２のコンポーネントの一部又は全部は、共通の筐体又はパッケージに封入されて良く、１又は複数の有線又は無線リンクを用いて相互接続され又は動作可能に関連付けられて良い。他の実施形態では、ＭＭＥ１６２のコンポーネントは、複数の又は別個の装置の間に分散されて良い。
【００６３】
プロセッサ１２４及び／又はプロセッサ１７２は、例えば、ＣＰＵ（Central  Processing  Unit）、ＤＳＰ（Digital  Signal  Processor）、１又は複数のプロセッサコア、単一コアプロセッサ、デュアルコアプロセッサ、マルチコアプロセッサ、マイクロプロセッサ、ホストプロセッサ、コントローラ、複数のプロセッサ又はコントローラ、チップ、マイクロチップ、１又は複数の回路、回路、論理ユニット、集積回路（ＩＣ）、ＡＳＩＣ（Application−Specific  IC）、又は任意の他の適切な多目的若しくは専用プロセッサ若しくはコントローラを含む。プロセッサ１２４は、例えば、ＵＥ１０２のオペレーティングシステム（ＯＳ）及び／又は１又は複数の適切なアプリケーションの命令を実行する。プロセッサ１７２は、例えば、ＡＮＤＳＦサーバ１６２のオペレーティングシステム（ＯＳ）及び／又は１又は複数の適切なアプリケーションの命令を実行する。
【００６４】
入力ユニット１１６は、例えば、キーボード、キーパッド、マウス、タッチスクリーン、タッチパッド、トラックボール、スタイラス、マイクロフォン、又は他の適切な指示装置又は入力装置を有する。出力ユニット１１８は、例えば、モニタ、スクリーン、タッチスクリーン、平面ディスプレイ、ＣＲＴ（Cathode  Ray  Tube）ディスプレイユニット、ＬＣＤ（Liquid  Crystal  Display）ディスプレイユニット、プラズマディスプレイユニット、１又は複数のオーディオスピーカ又はイヤフォン、又は他の適切な出力装置を含む。
【００６５】
メモリユニット１２０は、例えば、ＲＡＭ（Random  Access  Memory）、ＲＯＭ（Read  Only  Memory）、ＤＲＡＭ（Dynamic  RAM）、ＳＤＲＡＭ（Synchronous  DRAM）、フラッシュメモリ、揮発性メモリ、不揮発性メモリ、キャッシュメモリ、バッファ、短期間メモリユニット、長期間メモリユニット、又は他の適切なメモリユニットを含む。記憶ユニット１２２は、例えば、ハードディスクドライブ、フロッピーディスクドライブ、ＣＤ（Compact  Disk）ドライブ、ＤＣ−ＲＯＭドライブ、ＤＶＤドライブ、又は他の適切な取り外し可能若しくは取り外し不可能記憶ユニットを含む。メモリユニット１２０及び／又は記憶ユニット１２２は、例えば、ＵＥ１０２により処理されるデータを格納して良い。メモリユニット１７１は、例えば、ＡＮＤＳＦサーバ１６２により処理されるデータを格納して良い。
【００６６】
幾つかの例証的実施形態では、ｅＮＢ１０４、ＷＬＡＮ  ＡＰ１０６、及び／又はＵＥ１０２は、密結合セルラ−ＷＬＡＮ相互ネットワークシステムアーキテクチャを可能にするよう構成されて良い。例えば後述する通りである。
【００６７】
幾つかの実施形態では、ｅＮＢ１０４及びＷＬＡＮ  ＡＰ１０６は、結合されたｅＮＢ／ＡＰの形式で実装されて良い。
【００６８】
幾つかの例証的実施形態では、結合されたｅＮＢ／ＡＰは、ｅＮＢ１０４の機能を実行するよう構成されるｅＮＢ回路、及びＷＬＡＮ  ＡＰ回路、例えばＷＬＡＮ  ＡＰ１０６の機能を実行するよう構成されるＡＰ回路、を有して良い。
【００６９】
幾つかの実施形態では、ｅＮＢ１０４及びＷＬＡＮ  ＡＰ１０６は、共通装置、例えば統合されたｅＮＢ／ＡＰ装置の部分として実装されて良い。他の実施形態では、ｅＮＢ１０４及びＷＬＡＮ  ＡＰ１０６は、別個の及び／又は独立したユニット又は装置として実装されて良い。例えば、結合されたｅＮＢ／ＡＰは、一緒に結合されて良い別個のｅＮＢ及びＡＰ装置を有して良い。
【００７０】
他の実施形態では、システム１００は、任意の他のアーキテクチャ及び／又は展開を実装して良い。
【００７１】
幾つかの例証的実施形態では、ｅＮＢ１０４、ＷＬＡＮ  ＡＰ１０６、及び／又はＵＥ１０２は、セルラ／ＷＬＡＮプロトコルアグリゲーション方式（セルラ／ＷＬＡＮアグリゲーションとしても参照される）に従い通信するよう構成されて良い。例えば後述する通りである。
【００７２】
幾つかの例証的実施形態では、セルラ／ＷＬＡＮアグリゲーション方式は、例えばシステム１００がＬＴＥセルラシステムを有する場合、例えばＬＴＥ／ＷＬＡＮアグリゲーション方式を含んで良い。
【００７３】
他の実施形態では、セルラ／ＷＬＡＮアグリゲーション方式は、例えばシステム１００が任意の他のセルラシステムを有する場合、例えば任意の他のセルラ／ＷＬＡＮアグリゲーション方式を含んで良い。
【００７４】
幾つかの例証的実施形態では、ＬＴＥ／ＷＬＡＮプロトコルスタックアグリゲーションは、ＬＴＥをＷＬＡＮプロトコルスタックと相互作用可能にするよう構成されて良い。
【００７５】
幾つかの例証的実施形態では、ＬＴＥ／ＷＬＡＮプロトコルスタックアグリゲーションは、ＷＬＡＮ移動性をｅＮＢ１０４に固定する（anchor）よう構成されて良い。
【００７６】
幾つかの例証的実施形態では、ＵＥ１０２とＷＬＡＮ  ＡＰ１０６との間のＷＬＡＮリンクは、ＭＡＣレイヤより上位にアグリゲーションされて良い。
【００７７】
幾つかの例証的実施形態では、ＬＴＥ／ＷＬＡＮプロトコルスタックアグリゲーションは、ＷＬＡＮプロトコルスタックをＬＴＥ  ＰＤＣＰ（Packet  Data  Convergence  Protocol）レイヤより上にアグリゲーションするよう構成されて良い。
【００７８】
幾つかの例証的実施形態では、ＬＴＥプロトコルスタックアグリゲーションは、ＷＬＡＮプロトコルスタックをＬＴＥ  ＰＤＣＰレイヤより下にアグリゲーションするよう構成されて良い。
【００７９】
幾つかの例証的実施形態では、ＬＴＥ／ＷＬＡＮプロトコルスタックアグリゲーションはＵＥ１０２とｅＮＢ１０４との間のメッセージを、例えばＵＥ１０２とｅＮＢ１０４との間に例えばＷＬＡＮ  ＡＰ１０６を通じて設定されて良いトンネルによりカプセル化するよう構成されて良い、カプセル化プロトコルを有して良い。
【００８０】
幾つかの例証的実施形態では、ｅＮＢ１０４及び／又はＵＥ１０２は、制御プロトコル、例えば無線リソース制御（ＲＲＣ）プロトコル及び／又は任意の他のプロトコルを使用して、ＵＥ１０２及びＷＬＡＮ  ＡＰ１０６に互いに発見させ、ＵＥ１０２とＷＬＡＮ  ＡＰ１０６との間にＷＬＡＮリンクを設定し及び／又は確立するよう構成されて良い。
【００８１】
幾つかの例証的実施形態では、ＵＥ１０２、ｅＮＢ１０４、及び／又はＷＬＡＮ  ＡＰ１０６は、例えばセルラ／ＷＬＡＮアグリゲーション方式に従い、ＵＥ１０２をセルラ／ＷＬＡＮアグリゲーションモードで動作可能にするよう構成されて良い。例えば、ＵＥ１０２、ｅＮＢ１０４、及び／又はＷＬＡＮ  ＡＰ１０６は、例えばＬＴＥ／ＷＬＡＮアグリゲーション方式に従い、ＵＥ１０２をＬＴＥ／ＷＬＡＮアグリゲーションモードで動作可能にするよう構成されて良い。
【００８２】
幾つかの例証的実施形態では、ＵＥ１０２は、ｅＮＢ１０４から、例えばＲＲＣシグナリングを介して、セルラ／ＷＬＡＮアグリゲーションモードでＷＬＡＮを使用するようＵＥ１０２に指示する指示を受信して良い。
【００８３】
幾つかの例証的実施形態では、ＵＥ１０２は、例えばＵＥ１０２のＷＬＡＮとの通信が例えばＡＮＤＳＦサーバ１６２からのＡＮＤＳＦポリシに基づき制御され得るＡＮＤＳＦモードで動作するよう構成されて良い。
【００８４】
幾つかの例証的実施形態では、セルラ／ＷＬＡＮアグリゲーションモードで動作しているとき、ＵＥ１０２とＷＬＡＮ  ＡＰ１０６との間のＬＡＮ通信は、例えばセルラネットワーク、例えばＬＴＥネットワークにより完全に制御されて良い。
【００８５】
幾つかの例証的実施形態では、セルラ／ＷＬＡＮアグリゲーションモードで、ＵＥ１０２は、セルラノード例えばｅＮＢ１０４に固定される、ＷＬＡＮアクセス装置例えばＷＬＡＮ  ＡＰ１０６と通信して良い。
【００８６】
幾つかの例証的実施形態では、セルラ／ＷＬＡＮアグリゲーションモードで動作するとき、ＵＥ１０２は、例えばＡＮＤＳＦサーバ１６２のサービスを使用することを必要としなくても、ＷＬＡＮ通信を実行できて良い。
【００８７】
幾つかの例証的実施形態では、幾つかのシナリオ、使用例、及び／又は実装方法で、例えばセルラ／ＷＬＡＮアグリゲーション方式とＡＮＤＳＦ方式との間の１又は複数の潜在的共存問題を解決しなければならない場合がある。例えば後述する通りである。
【００８８】
幾つかの例証的実施形態では、例えば、幾つかのオペレータは、例えば、ＬＴＥ／ＷＬＡＮアグリゲーション方式をサポートするネットワーク要素を展開する前に、ＡＮＤＳＦ方式をサポートするネットワーク要素を展開して良い。したがって、例えばＡＮＤＳＦ方式からＬＴＥ／ＷＬＡＮアグリゲーション方式にアップグレードする間に解決しなければならない共存問題が存在し得る。
【００８９】
幾つかの実装では、例えば、幾つかのオペレータは、１又は複数の特定領域においてＬＴＥ／ＷＬＡＮアグリゲーションをサポートするネットワーク要素を展開して良く、一方で、１又は複数の例えば異なる領域でＡＮＤＳＦをサポートする１又は複数のネットワーク要素を展開する。一例では、ＬＴＥ／ＷＬＡＮアグリゲーションは、密集領域においてサポートされて良く、及び／又はＡＮＤＳＦを有する第三者ＷＬＡＮサービスプロバイダは、何らかの他の領域において使用されて良い。
【００９０】
幾つかの実装方法では、例えば、ＵＥ、例えばＵＥ１０２は、ＡＮＤＳＦポリシを有して良く、ＬＴＥ／ＷＬＡＮアグリゲーションを展開し得るネットワークにローミングして良い。
【００９１】
幾つかの実装方法では、例えば、幾つかのオペレータは、例えばＲＡＮに基づくＬＴＥ／ＷＬＡＮアグリゲーション、並びに、ＥＰＣに基づくシームレスＷＬＡＮオフロード、例えばＷｉＦｉオフロード、例えばＳ２ａ／Ｓ２ｂ／Ｓ２を、同一領域において展開して良い。例えば、ＡＮＤＳＦは、ＵＥがどのモードで動作すべきかを制御するために使用されて良い。
【００９２】
幾つかの例証的実施形態は、上述の実装方法において及び／又は任意の他のシナリオ、使用例及び／又は実装方法において、例えばセルラ／ＷＬＡＮアグリゲーション方式とＡＮＤＳＦ方式との間の１又は複数の潜在的共存問題を解決できるよう構成されて良い。
【００９３】
幾つかの例証的実施形態では、例えば常にＡＮＤＳＦポリシに優先するよう例えばＬＴＥ／ＷＬＡＮアグリゲーションをＡＮＤＳＦポリシに優先するよう構成することにより、ＬＴＥ／ＷＬＡＮアグリゲーションとＡＮＤＳＦ共存問題を解決するよう構成されて良い。例えば後述する通りである。
【００９４】
幾つかの例証的実施形態は、例えば、アクティブＡＮＤＳＦポリシを有して良いＵＥ、例えばＵＥ１０２を、例えばＡＮＤＳＦポリシが常にＬＴＥ／ＷＬＡＮアグリゲーションに優先するよう構成することにより、ＬＴＥ／ＷＬＡＮアグリゲーション及びＡＮＤＳＦ共存問題を解決するよう構成されて良い。例えば後述する通りである。
【００９５】
これらの実施形態によると、ＬＴＥ／ＷＬＡＮアグリゲーションは、例えばＵＥが有効なＡＮＤＳＦポリシを有しないときのみ、ＵＥにより使用されて良い。
【００９６】
幾つかの例証的実施形態は、例えば複数のＷＬＡＮ移動性方式の間の選好及び／又は優先度をシグナリングできるようＡＮＤＳＦを拡張することにより、ＬＴＥ／ＷＬＡＮアグリゲーションとＡＮＤＳＦ共存問題を解決するよう構成されて良い。例えば後述する通りである。
【００９７】
幾つかの例証的実施形態では、ＡＮＤＳＦサーバ１６２は、ＡＮＤＳＦポリシを生成するよう構成されて良い。ＡＮＤＳＦポリシは、例えばいつ及び／又はどのＵＥについて、ＬＴＥ／ＷＬＡＮアグリゲーションがＡＮＤＳＦより望ましいか、及び／又はその逆を、オペレータが制御し及び／又はＵＥにシグナリングできるよう構成されて良い。例えば後述する通りである。
【００９８】
幾つかの例証的実施形態では、ＡＮＤＳＦサーバ１６２は、ＡＮＤＳＦポリシを生成するよう構成されて良い。ＡＮＤＳＦポリシは、例えばＲＡＮに基づくＬＴＥ／ＷＬＡＮアグリゲーションとＡＮＤＳＦに基づく移動性、例えばＥＰＣに基づくシームレスＷｉＦｉオフロード（Ｓ２ａ／Ｓ２ｂ／Ｓ２ｃ）との両方が同じ領域でサポートされるとき、オペレータがＵＥの動作モードを制御できるよう構成されて良い。例えば後述する通りである。
【００９９】
幾つかの例証的実施形態では、ＵＥ１０２は、ＵＥ１０２のＷＬＡＮ移動性動作モードを制御するよう構成されて良い制御部１４５を有して良い。
【０１００】
幾つかの例証的実施形態では、制御部１４５は、制御部１４５の機能の少なくとも一部を実行するよう構成されて良い適切な回路及び／又はロジック、例えば制御回路及び／又はロジック、プロセッサ回路及び／又はロジック、メモリ回路及び／又はロジック、及び／又は任意の他の回路及び／又はロジックを含んで良く又はそれを用いて実装されて良い。追加又は代替で、制御部１４５の１又は複数の機能は、機械及び／又は１又は複数のプロセッサにより実行され得るロジックにより実装されて良い。例えば後述する通りである。
【０１０１】
幾つかの例証的実施形態では、制御部１４５は、セルラ／ＷＬＡＮアグリゲーションモード、例えばＬＴＥ／ＷＬＡＮアグリゲーションモード、又はＡＮＤＳＦモードを含むようＷＬＡＮ移動性モードを選択して良い。例えば後述する通りである。
【０１０２】
幾つかの例証的実施形態では、制御部１４５は、制御部１４５により決定されるような選択されたＷＬＡＮ移動性モードに従いＵＥ１０２にＷＬＡＮ、例えばＷＬＡＮ  ＡＰ１０６と通信させて良い。例えば後述する通りである。
【０１０３】
幾つかの例証的実施形態では、セルラ／ＷＬＡＮアグリゲーションモードで、制御部１４５は、セルラノード、例えばｅＮＢ１０４に固定されるＷＬＡＮアクセス装置、例えばＷＬＡＮ  ＡＰ１０６とのＵＥ１０２の通信を制御して良い。例えば後述する通りである。
【０１０４】
幾つかの例証的実施形態では、ＡＮＤＳＦモードで、制御部１４５は、例えばＡＮＤＳＦサーバ、例えばＡＮＤＳＦサーバ１６２からのＡＮＤＳＦポリシに基づき、ＵＥ１０２のＷＬＡＮとの通信を制御して良い。
【０１０５】
幾つかの例証的実施形態では、制御部１４５は、例えば予め設定される選択基準に基づき、セルラ／ＷＬＡＮアグリゲーションモード及びＡＮＤＳＦモードからＷＬＡＮ移動性モードを選択するよう構成されて良い。例えば後述する通りである。
【０１０６】
幾つかの例証的実施形態では、予め設定される選択基準は、セルラ／ＷＬＡＮアグリゲーションモードがＡＮＤＳＦモードに優先し得るよう、例えば常に優先し得るよう構成されて良い。例えば後述の通りである。
【０１０７】
幾つかの例証的実施形態では、予め設定される選択基準は、例えばＵＥが１０２セルラ／ＷＬＡＮアグリゲーションモードを使用するようセルラノード、例えばｅＮＢ１０４により指示されると、ＡＮＤＳＦモードよりセルラ／ＷＬＡＮアグリゲーションモードを選択するステップを含んで良い。幾つかの例証的実施形態では、例えばセルラ／ＷＬＡＮアグリゲーションモードが選択されると、制御部１４５は、ＡＮＤＳＦクライアント１４８に対するＷＬＡＮ存在の指示を無効にするよう構成されて良い。
【０１０８】
一例では、制御部１４５は、例えばネットワーク、例えばｅＮＢ１０４がアグリゲーションモードでＷＬＡＮを使用するようＵＥ１０２に指示する場合、ＵＥ１０２に、ＡＮＤＳＦクライアント１４８にＷＬＡＮネットワークの存在を通知することを回避させて良い。本例によると、ＡＮＤＳＦクライアント１４８の観点から、例えばＬＴＥ／ＷＬＡＮアグリゲーションが使用されるときは常に、ＵＥ１０２は、ＡＮＤＳＦクライアントが使用できるＷＬＡＮネットワークを検出しない可能性がある。
【０１０９】
幾つかの例証的実施形態では、予め設定される選択基準は、ＡＮＤＳＦモードがセルラ／ＷＬＡＮアグリゲーションモードに優先し得るよう、例えば常に優先し得るよう構成されて良い。例えば後述の通りである。
【０１１０】
幾つかの例証的実施形態では、予め設定される選択基準は、ＡＮＤＳＦクライアント１４８がアクティブＡＮＤＳＦポリシを有するとき、制御部１４５がセルラ／ＷＬＡＮアグリゲーションモードよりＡＮＤＳＦモードを選択することを含み得る。
【０１１１】
幾つかの例証的実施形態では、予め設定される選択基準は、ＡＮＤＳＦクライアント１４８がアクティブＡＮＤＳＦポリシを有するときのみ、制御部１４５がＡＮＤＳＦモードよりセルラ／ＷＬＡＮアグリゲーションモードを選択することを含み得る。
【０１１２】
幾つかの例証的実施形態では、例えばＵＥがアクティブＡＮＤＳＦポリシを有し、予め設定された選択基準がＡＮＤＳＦモードよりもセルラ／ＷＬＡＮアグリゲーションモードを選択することである場合、制御部１４５は、ＵＥ１０２にＲＡＮ１１９からの、例えばｅＮＢ１０４からの、ＬＴＥ／ＷＬＡＮアグリゲーションモードでＷＬＡＮを使用するための指示、例えばＲＲＣ指示、を無視させて良い。
【０１１３】
幾つかの例証的実施形態では、ＵＥ１０２及び／又はＡＮＤＳＦサーバ１６２は、ＡＮＤＳＦポリシを使用するよう構成されて良い。ＡＮＤＳＦポリシは、セルラ／ＷＬＡＮアグリゲーションモード又はＡＮＤＳＦモードの選好度を示すよう構成されて良い。例えば後述の通りである。
【０１１４】
幾つかの例証的実施形態では、ＡＮＤＳＦポリシモジュール１６８は、ＡＮＤＳＦ又はＬＴＥ／ＷＬＡＮアグリゲーションが望ましいかを示すよう構成されるＷＬＡＮ移動性モードを含むＡＮＤＳＦノードを含むＭＯ（「LTEWLANAggregationPreference」）を生成するよう構成されて良い。
【０１１５】
一例では、ＡＮＤＳＦポリシモジュール１６８は、LTEWLANAggregationPreference指示を第１値、例えば０に設定して、ＡＮＤＳＦ移動性モードがセルラ／ＷＬＡＮアグリゲーションモードより優先されるべきであることを示すよう、又は、第２値、例えば１に設定して、セルラ／ＷＬＡＮアグリゲーションモードがＡＮＤＳＦ移動性モードより優先されるべきであることを示すよう、構成されて良い。
【０１１６】
幾つかの例証的実施形態では、ＡＮＤＳＦクライアントモジュール１４８は、セルラ／ＷＬＡＮアグリゲーションモードとＡＮＤＳＦモードとの間の選好度を示すために、ＷＬＡＮ移動性モード選好度を含むＡＮＤＳＦ  ＭＯをＡＮＤＳＦサーバ１６２から受信して良い。
【０１１７】
幾つかの例証的実施形態では、制御部１４５は、例えばＷＬＡＮ移動性モード選好度に基づき、セルラ／ＷＬＡＮアグリゲーションモードとＡＮＤＳＦモードとの間で選択して良い。
【０１１８】
幾つかの例証的実施形態では、制御部１４５は、ＷＬＡＮ移動性モード選好度がセルラ／ＷＬＡＮアグリゲーションモードが望ましいことを示し、及びＵＥ１０２がセルラ／ＷＬＡＮアグリゲーションモードを使用するようｅＮＢ１０４により命令されるとき、ＡＮＤＳＦモードよりセルラ／ＷＬＡＮアグリゲーションモードを選択して良い。
【０１１９】
幾つかの例証的実施形態では、制御部１４５は、例えば、ＷＬＡＮ移動性モード選好度がセルラ／ＷＬＡＮアグリゲーションモードが望ましいことを示し、及びＵＥ１０２がセルラ／ＷＬＡＮアグリゲーションモードを使用するようｅＮＢ１０４により命令されるとき、ＡＮＤＳＦクライアント１４８に対するＷＬＡＮ存在指示を無効にして良い。
【０１２０】
幾つかの例証的実施形態では、制御部１４５は、例えばＷＬＡＮ移動性モード選好度がＡＮＤＳＦモードが望ましいことを示し、及びＡＮＤＳＦクライアント１４８がアクティブＡＮＤＳＦポリシを有するとき、セルラ／ＷＬＡＮアグリゲーションモードよりＡＮＤＳＦモードを選択する。
【０１２１】
幾つかの例証的実施形態では、制御部１４５は、ＷＬＡＮ移動性モード選好度がＡＮＤＳＦモードが望ましいことを示す場合、例えばＡＮＤＳＦクライアント１４８がアクティブＡＮＤＳＦポリシを有しないときのみ、ＡＮＤＳＦモードよりセルラ／ＷＬＡＮアグリゲーションモードを選択する。
【０１２２】
例えば、ＵＥ１０２は、ＡＮＤＳＦサーバ１６２から、０に設定されるLTEWLANAggregationPreference指示を含むＭＯを受信して良く、ＵＥ１０２は、有効なＡＮＤＳＦルール、例えば有効なシステム間ルーティングポリシ（Inter−System  Routing  Policy：ＩＳＲＰ）又は有効なシステム間移動性ポリシ（Inter  System  Mobility  Policy：ＩＳＭＰ）を有して良い。本例によると、制御部１４５は、ＵＥ１０２に、ＡＮＤＳＦルールに従う経路トラフィックを生じさせ、ＬＴＥ／ＷＬＡＮアグリゲーションを使用させないよう構成されて良い。例えば、制御部１４５は、ＵＥ１０２に、ｅＮＢ１０４へＷＬＡＮ測定を報告させず、及び／又は任意の他の方法で、例えばｅＮＢ１０４へ適切な指示を送信することにより、ＬＴＥ／ＷＬＡＮアグリゲーションを避けるようにさせて良い。
【０１２３】
幾つかの例証的実施形態では、ＡＮＤＳＦポリシモジュール１６８は、１又は複数のＡＮＤＳＦポリシを含むＡＮＤＳＦ  ＭＯ、ＷＬＡＮ移動性優先度ノ―ドを含むＡＮＤＳＦ  ＭＯ、セルラ／ＷＬＡＮアグリゲーションモードを示すＷＬＡＮ移動性種類指示子を含むＷＬＡＮ移動性優先度ノード、及びセルラ／ＷＬＡＮアグリゲーションモードの優先度を示すＷＬＡＮ移動性優先度値を決定するよう構成されて良い。例えば後述の通りである。
【０１２４】
幾つかの例証的実施形態では、ＡＮＤＳＦ  ＭＯは、例えば同じ領域内で例えば複数のＷＬＡＮ移動性モードがサポートされる及び／又は利用可能であるとき、どのＷＬＡＮ移動性モード、例えばＲＡＮに基づくＬＴＥ／ＷＬＡＮアグリゲーション、ＥＰＣに基づく（Ｓ２ａ／ｂ／ｃ）シームレスＷｉＦｉオフロード、又は任意の他の移動性モードをＵＥ、例えばＵＥ１０２が選択すべきかを示すＡＮＤＳＦノード（「PrioritizedSeamlessWLANMobility」）を有して良い。例えば後述の通りである。
【０１２５】
幾つかの例証的実施形態では、ＡＮＤＳＦサーバ１６２は、ＡＮＤＳＦ  ＭＯをＵＥ１０２へ送信して良く、ＵＥ１０２は、ＡＮＤＳＦ  ＭＯを受信して良い。
【０１２６】
幾つかの例証的実施形態では、制御部１４５は、例えばＷＬＡＮ移動性優先度値に基づき、セルラ／ＷＬＡＮアグリゲーションモードとＡＮＤＳＦモードとの間で選択するよう構成されて良い。例えば後述の通りである。
【０１２７】
幾つかの例証的実施形態では、ＡＮＤＳＦポリシモジュール１６８は、所定優先度範囲内の値を有するようＷＬＡＮ移動性優先度値を設定して良い。例えば後述の通りである。
【０１２８】
幾つかの例証的実施形態では、優先度範囲は、例えば１乃至２５０の間であって良い。例えば後述の通りである。他の実施形態では、優先度範囲は、任意の他の値範囲を有して良い。
【０１２９】
幾つかの例証的実施形態では、ＡＮＤＳＦポリシモジュール１６８は、複数のＷＬＡＮ移動性モードの優先度を示す複数のＷＬＡＮ移動性優先度ノードを含むＡＮＤＳＦ  ＭＯを設定して良い。例えば後述の通りである。
【０１３０】
幾つかの例証的実施形態では、ＡＮＤＳＦポリシモジュール１６８は、セルラ／ＷＬＡＮアグリゲーションモードを示す第１ＷＬＡＮ移動性種類指示子とセルラ／ＷＬＡＮアグリゲーションモードの優先度を示す第１ＷＬＡＮ移動性優先度値とを含む第１ＷＬＡＮ移動性優先度ノードを有するようＡＮＤＳＦ  ＭＯを設定して良い。
【０１３１】
幾つかの例証的実施形態では、ＡＮＤＳＦポリシモジュール１６８は、ＡＮＤＳＦモードを示す第２ＷＬＡＮ移動性種類指示子とＡＮＤＳＦモードの優先度を示す第２ＷＬＡＮ移動性優先度値とを含む少なくとも１つの第２ＷＬＡＮ移動性優先度ノードを有するようＡＮＤＳＦ  ＭＯを設定して良い。
【０１３２】
幾つかの例証的実施形態では、ＡＮＤＳＦポリシモジュール１６８は、例えば第１優先度値と第２優先度値との間の比較に基づき、ＵＥ、例えばＵＥ１０２が前記セルラ／ＷＬＡＮアグリゲーションモードとＡＮＤＳＦモードとの間で選択すべきであることを示すために、所定優先度範囲内の第１値を有するよう第１優先度値を設定し、所定優先度範囲内の第２値を有するよう第２優先度値を設定して良い。例えば後述の通りである。
【０１３３】
幾つかの例証的実施形態では、制御部１４５は、例えば、セルラ／ＷＬＡＮアグリゲーションモードのＷＬＡＮ移動性優先度値、例えば第１優先度値と、ＡＮＤＳＦモードのＷＬＡＮ移動性優先度値、例えば第２優先度値と、の間の比較に基づき、セルラ／ＷＬＡＮアグリゲーションモードとＡＮＤＳＦモードとの間で選択するよう構成されて良い。
【０１３４】
一例では、制御部１４５は、例えば第１及び第２優先度値の間の最低優先度値に対応するＷＬＡＮ移動性モードを選択することにより、セルラ／ＷＬＡＮアグリゲーションモードとＡＮＤＳＦモードとの間で選択するよう構成されて良い。例えば後述の通りである。
【０１３５】
幾つかの例証的実施形態では、ＡＮＤＳＦポリシモジュール１６８は、ＵＥ１０２がセルラ／ＷＬＡＮアグリゲーションモードの選択を制限されることを示すためにＷＬＡＮ移動性優先度値を所定値（「選択制限値（restrict−selection  value）」）に設定して良い。
【０１３６】
幾つかの例証的実施形態では、選択制限値は２５４又は例えば優先度範囲内にない任意の他の値であって良い。
【０１３７】
幾つかの例証的実施形態では、制御部１４５は、例えばＷＬＡＮ移動性優先度値が選択制限値を有するとき、ＵＥ１０２によるセルラ／ＷＬＡＮアグリゲーションモードの選択を制限するよう構成されて良い。
【０１３８】
幾つかの例証的実施形態では、ＡＮＤＳＦポリシモジュール１６８は、ＵＥ１０２がセルラ／ＷＬＡＮアグリゲーションモードの選択を禁止されることを示すためにＷＬＡＮ移動性優先度値を所定値（「選択禁止値（forbid−selection  value）」）に設定して良い。
【０１３９】
幾つかの例証的実施形態では、選択禁止値は２５５又は例えば優先度範囲内にない任意の他の値であって良い。
【０１４０】
幾つかの例証的実施形態では、制御部１４５は、例えばＷＬＡＮ移動性優先度値が選択禁止値を有するとき、ＵＥ１０２によるセルラ／ＷＬＡＮアグリゲーションモードの選択を禁止するよう構成されて良い。
【０１４１】
幾つかの例証的実施形態では、ＵＥ、例えばＵＥ１０２のローミングは、例えばＨＰＬＭＮ（Home  Public  Land  Mobile  Network）からの有効なＩＳＲＰ又はＩＳＭＰを有して良い。これらの実施形態によると、ＵＥ１０２のローミングは、ＡＮＤＳＦに従いトラフィックをルーティングするよう構成されて良い。
【０１４２】
例えば、ＵＥ１０２がローミングしており、ＡＮＤＳＦクライアントが例えばＨＰＬＭＮからの有効なＩＳＲＰ又はＩＳＭＰルールを有するとき、制御部１４５は、セルラ／ＷＬＡＮアグリゲーションモードよりＡＮＤＳＦモードを選択して良い。例えば、制御部１４５は、ＵＥ１０２に、ＲＡＮ１１９からの、例えばｅＮＢ１０４からの、ＬＴＥ／ＷＬＡＮアグリゲーションモードでＷＬＡＮを使用するための指示、例えばＲＲＣ指示を無視させて良い。
【０１４３】
図２は、幾つかの例証的実施形態による、ＡＮＤＳＦ  ＭＯのポリシノードサブオブジェクト２００の概略図である。例えば、ノードサブオブジェクト２００は、ＡＮＤＳＦポリシモジュール１６８（図１）により生成されるＡＮＤＳＦ  ＭＯ、ＡＮＤＳＦサーバ１６２（図１）により送信されるＡＮＤＳＦ  ＭＯ、及び／又はＵＥ１０２（図１）により受信されるＡＮＤＳＦ  ＭＯに含まれて良い。
【０１４４】
幾つかの例証的実施形態では、ノードサブオブジェクト２００は、複数のＷＬＡＮ移動性モードの間の優先度及び／又は選好度を示すＷＬＡＮ移動性優先度ノード（「PrioritizedSeamlessWLANMobility」）２１０を有して良い。例えば後述の通りである。
【０１４５】
幾つかの例証的実施形態では、ＷＬＡＮ移動性優先度ノード２１０は、１又は複数のＷＬＡＮ移動性モードの優先度を定めるパラメータの代替物として動作して良い。
【０１４６】
一例では、ＷＬＡＮ移動性優先度ノード２１０は、例えば以下のように定められて良い。
【０１４７】
<X>/Policy/<X>/PrioritizedAccess/PrioritizedSeamlessWLANMobility
−Occurrence:ZeroOrOneOrMore
−Format:node
−AccessTypes:Get,Replace
−Values:N/A
幾つかの例証的実施形態では、ノード２１０は、ＷＬＡＮがサポートできるＷＬＡＮ移動性モードを示すためにＷＬＡＮ移動性種類指示子（リーフ）（「WLANMobilityType」）２１２を有して良い。
【０１４８】
一例では、リーフ２１２は、例えば以下のように定められて良い。
<X>/Policy/<X>/PrioritizedAccess/PrioritizedSeamlessWLANMobilityAVLANMobilityType
−Occurrence:One
−Format:int
−AccessTypes:Get,Replace
−Values:<WLAN  mobility  type（ＷＬＡＮ移動性種類）>
幾つかの例証的実施形態では、ＷＬＡＮ移動性種類リーフ２１２の値は、例えば以下のテーブルに従い、又は任意の他の所定値セットに従い、設定されて良い。
【０１４９】
【表１】
0006449471.tif 000002
幾つかの例証的実施形態では、ノード２１０は、ＷＬＡＮ移動性モード種類に対応する優先度を示すためにＷＬＡＮ移動性優先度指示子（リーフ）（「WLANMobilityPriority」）２１４を有して良い。
【０１５０】
一例では、リーフ２１４は、例えば以下のように定められて良い。
<X>/Policy/<X>/PrioritizedAccess/PrioritizedSeamlessWLANMobility/WLANMobilityType
−Occurrence:One
−Format:int
−AccessTypes:Get,Replace
−Values:<WLAN  mobility  priority（ＷＬＡＮ移動性優先度）>
幾つかの例証的実施形態では、ＷＬＡＮ移動性優先度リーフ２１４の値は、例えば以下のテーブルに従い、又は任意の他の所定値セットに従い、設定されて良い。
【０１５１】
【表２】
0006449471.tif 000003
幾つかの例証的実施形態では、ＷＬＡＮ移動性モード種類に対応するＷＬＡＮ移動性優先度リーフ２１４の値は、例えば１又は複数の他のＷＬＡＮ移動性モード種類の優先度に対する例えばＷＬＡＮ移動性モード種類の優先度を示すために、１〜２５０の範囲内の値に設定されて良い。
【０１５２】
例えば、ＡＮＤＳＦポリシモジュール１６８（図１）は、第１ＷＬＡＮ移動性種類２１２、例えばセルラ／ＷＬＡＮアグリゲーションと範囲１〜２５０の中の第１優先度値２１４とを有する第１ＷＬＡＮ移動性ノード２１０、及び第２ＷＬＡＮ移動性種類２１２、例えばＳ２ａシームレスＷＬＡＮオフロードと範囲１〜２５０の中の第２優先度値２１４とを有する第２ＷＬＡＮ移動性ノード２１０、を有するノードサブオブジェクト２００を含むＡＮＤＳＦ  ＭＯを生成して良い。
【０１５３】
本例によると、例えば第１優先度が第２優先度値より小さい場合、第１ＷＬＡＮ移動性種類２１２、例えばセルラ／ＷＬＡＮアグリゲーションは、第２ＷＬＡＮ移動性種類２１２、例えばＳ２ａシームレスＷＬＡＮオフロードより優先されて良い。
【０１５４】
幾つかの例証的実施形態では、制御部１４５（図１）は、例えばノードサブオブジェクト２００に基づき、複数の利用可能ＷＬＡＮ移動性モードからＷＬＡＮ移動性モードを選択するよう構成されて良い。
【０１５５】
幾つかの例証的実施形態では、制御部１４５（図１）は、例えば複数のＷＬＡＮ移動性種類に対応する優先度値に基づき、複数のＷＬＡＮ移動性種類の間で優先順位を付けるよう構成されて良い。
【０１５６】
一例では、１より多いＷＬＡＮ移動性種類がＵＥ１０２（図１）に利用可能であって良い。例えば、ノードサブオブジェクト２００は、複数のＷＬＡＮ移動性優先度ノード２１０を有して良い。
【０１５７】
一例では、２以上のＷＬＡＮ移動性優先度ノード２１０は、範囲１〜２５０の中の優先度値を有する２以上の個々の優先度ＷＬＡＮ移動性優先度リーフ２１４を有して良い。
【０１５８】
本例によると、制御部１４５（図１）は、例えば表２に定めるように、例えば存在する場合には最低WLANMobilityPriority値を有する対応するアクセス識別子と一緒に、ＷＬＡＮ移動性種類を、例えば存在する場合には最高優先度を有する対応するアクセス識別子と一緒に、ＷＬＡＮ移動性モードとして見なして良い。
【０１５９】
幾つかの例証的実施形態では、ＡＮＤＳＦポリシモジュール２６８は、ＷＬＡＮ移動性種類２１２により示されるＷＬＡＮ移動性モードに対応するWLANMobilityPriority値２１４を、「アクセス制限」値、例えば２５４に設定して、ＷＬＡＮ移動性モードがＵＥ１０２により使用されるべきではないことを示し、例えば制御部１４５（図１）がＷＬＡＮ移動性モードを使用することを回避すべきであることを示して良い。例えば上述の通りである。
【０１６０】
幾つかの例証的実施形態では、ＡＮＤＳＦポリシモジュール２６８は、ＷＬＡＮ移動性種類２１２により示されるＷＬＡＮ移動性モードに対応するWLANMobilityPriority値２１４を、「アクセス禁止」値、例えば２５５に設定して、ＷＬＡＮ移動性モードがＵＥ１０２により使用されるべきではないことを示し、例えば制御部１４５（図１）がＷＬＡＮ移動性モードを使用することを禁止されていることを示して良い。例えば上述の通りである。
【０１６１】
幾つかの例証的実施形態では、同じWLANMobilityPriority値は、１より多いＷＬＡＮ移動性種類のために使用されて良い。
【０１６２】
幾つかの例証的実施形態では、同じ値のWLANMobilityPriorityを有する１より多いＷＬＡＮ移動性種類がＵＥ１０２（図１）に利用可能であって良い。これらの実施形態によると、制御部１４５（図１）は、ＵＥ１０２（図１）のために、例えば実装方法に依存する方法で、利用可能ＷＬＡＮ移動性種類のうちの１つを選択するよう構成されて良い。
【０１６３】
図３は、幾つかの例証的実施形態による、ＵＥの移動性モードを選択する方法の概略フローチャート図である。幾つかの実施形態では、図３の方法の動作のうちの１又は複数は、無線通信システム、例えばシステム１００（図１）、ＵＥ、例えばＵＥ１０２（図１）及び／又は制御部、例えば制御部１４５（図１）により実行されて良い。
【０１６４】
ブロック３０２に示すように、方法は、セルラネットワークのセルラノードと通信するステップを有して良い。例えば、ＵＥ１０２（図１）は、ｅＮＢ１０４（図１）と通信して良い。例えば上述の通りである。
【０１６５】
ブロック３０４に示すように、方法は、予め設定された選択基準に基づき、セルラ／ＷＬＡＮアグリゲーションモード及びＡＮＤＳＦモードからＷＬＡＮ移動性モードを選択するステップを有して良い。例えば、制御部１４５（図１）は、予め設定された選択基準に基づき、セルラ／ＷＬＡＮアグリゲーションモード及びＡＮＤＳＦモードの間で選択して良い。例えば上述の通りである。
【０１６６】
ブロック３０６に示すように、予め設定される選択基準に基づきＷＬＡＮ移動性モードを選択するステップは、ＵＥがセルラ／ＷＬＡＮアグリゲーションモードを使用するようセルラノードにより指示されると、ＡＮＤＳＦモードよりセルラ／ＷＬＡＮアグリゲーションモードを選択するステップを含んで良い。例えば、制御部１４５（図１）は、例えばＵＥ１０２（図１）がセルラ／ＷＬＡＮアグリゲーションモードを使用するようｅＮＢ１０４（図１）により指示されると、ＡＮＤＳＦモードよりセルラ／ＷＬＡＮアグリゲーションモードを選択して良い。
【０１６７】
ブロック３０８に示すように、予め設定される選択基準に基づきＷＬＡＮ移動性モードを選択するステップは、アクティブＡＮＤＳＦポリシが利用可能であるとき、セルラ／ＷＬＡＮアグリゲーションモードよりＡＮＤＳＦモードを選択するステップを含んで良い。例えば、制御部１４５（図１）は、例えばＡＮＤＳＦクライアント１４８（図１）が利用可能なアクティブＡＮＤＳＦポリシを有するとき、セルラ／ＷＬＡＮアグリゲーションモードよりＡＮＤＳＦモードを選択して良い。
【０１６８】
ブロック３１０に示すように、方法は、ＷＬＡＮ移動性モードに従いＷＬＡＮと通信するステップを有して良い。例えば、制御部１４５（図１）は、ＵＥ（図１）に、ＷＬＡＮ移動性モードに従いＷＬＡＮと通信させて良い。例えば上述の通りである。
【０１６９】
図４は、幾つかの例証的実施形態による、ＵＥの移動性モードを選択する方法の概略フローチャート図である。幾つかの実施形態では、図４の方法の動作のうちの１又は複数は、無線通信システム、例えばシステム１００（図１）、ＵＥ、例えばＵＥ１０２（図１）、ＡＮＤＳＦサーバ、例えばＡＮＤＳＦサーバ１６２（図１）、ＡＮＤＳＦポリシモジュール、例えばＡＮＤＳＦポリシモジュール１６８（図１）、及び／又は制御部、例えば制御部１４５（図１）により実行されて良い。
【０１７０】
ブロック４０２で、方法は、１又は複数のＡＮＤＳＦポリシを含むＡＮＤＳＦ  ＭＯ、ＷＬＡＮ移動性優先度ノ―ドを含むＡＮＤＳＦ  ＭＯ、セルラ／ＷＬＡＮアグリゲーションモードを示すＷＬＡＮ移動性種類指示子を含むＷＬＡＮ移動性優先度ノード、及びセルラ／ＷＬＡＮアグリゲーションモードの優先度を示すＷＬＡＮ移動性優先度値を生成するステップを有して良い。例えば、ＡＮＤＳＦポリシモジュールは、１又は複数のＷＬＡＮ移動性優先度ノード２１０（図１）を含むＡＮＤＳＦ  ＭＯを生成して良い。
【０１７１】
ブロック４０４に示されるように、方法は、ＡＮＤＳＦ  ＭＯをＵＥへ送信するステップを有して良い。例えば、ＡＮＤＳＦサーバ１６２は、ＡＮＤＳＦ  ＭＯをＵＥ１０２（図１）へ送信して良い。例えば上述の通りである。
【０１７２】
ブロック４０６に示されるように、方法は、ＵＥにおいてＡＮＤＳＦ  ＭＯを受信するステップを有して良い。例えば、ＡＮＤＳＦクライアントモジュール１４８（図１）は、ＡＮＤＳＦサーバ１６２（図１）からＡＮＤＳＦ  ＭＯを受信して良い。例えば上述の通りである。
【０１７３】
ブロック４０８に示すように、方法は、ＷＬＡＮ移動性優先度値に基づき、セルラ／ＷＬＡＮアグリゲーションモード及びＡＮＤＳＦモードの間で選択するステップを有して良い。例えば、制御部１４５（図１）は、例えばＷＬＡＮ移動性優先度値に基づき、セルラ／ＷＬＡＮアグリゲーションモード及びＡＮＤＳＦモードの間で選択して良い。例えば上述の通りである。
【０１７４】
図５を参照すると、幾つかの例証的実施形態による、製品５００を概略的に示す。製品５００は、ロジック５０４を格納するために非一時的機械可読記憶媒体５０２を有して良い。ロジック５０４は、例えば、ＵＥ１０２（図１）、ｅＮＢ１０４（図１）、ｎｏｄｅＢ１９６（図１）、ＡＮＤＳＦサーバ１６２（図１）、制御部１４５（図１）、及び／又はＡＮＤＳＦポリシモジュール１６８（図１）の機能の少なくとも一部を実行するために、及び／又は図３及び／又は４の方法の１又は複数の動作を実行するために用いられて良い。用語「非一時的機械可読媒体」は、全てのコンピュータ可読媒体を含むことを意図し、唯一の例外は一時的な伝搬信号である。
【０１７５】
幾つかの例証的実施形態では、製品５００及び／又は機械可読記憶媒体５０２は、揮発性メモリ、不揮発性メモリ、取り外し可能若しくは取り外し不可能なメモリ、消去可能若しくは消去不可能なメモリ、書き換え可能若しくは書き換え不可能なメモリ等を含む、データを格納可能な１又は複数種類のコンピュータ可読記憶媒体を含み得る。例えば、機械可読記憶媒体５０２は、ＲＡＭ、ＤＲＡＭ、ＤＤＲ−ＤＲＡＭ（Double−Data−Rate  DRAM）、ＳＤＲＡＭ、ＳＲＡＭ（static  RAM）、ＲＯＭ、ＰＲＯＭ（programmable  ROM）、ＥＰＲＯＭ（erasable  programmable  ROM）、ＥＥＰＲＯＭ（electrically  erasable  programmable  ROM）、ＣＤ−ＲＯＭ（Compact  Disk  ROM）、ＣＤ−Ｒ（Compact  Disk  Recordable）、ＣＤ−ＲＷ（Compact  Disk  Rewriteable）、フラッシュメモリ（例えば、ＮＯＲ又はＮＡＮＤフラッシュメモリ）、ＣＡＭ（content  addressable  memory）、ポリマメモリ、相変化メモリ、強誘電メモリ、ＳＯＮＯＳ（silicon−oxide−nitride−oxide−silicon）メモリ、ディスク、フロッピーディスク、ハードドライブ、光ディスク、磁気ディスク、カード、磁気カード、光学カード、テープ、カセット、等を有しても良い。コンピュータ可読記憶媒体は、搬送波若しくは通信リンク、例えばモデム、無線若しくはネットワーク接続を通る他の伝搬媒体に具現化されたデータ信号により伝達されるコンピュータプログラムをリモートコンピュータから要求元コンピュータにダウンロードし又は転送することに関与する任意の適切な媒体を有しても良い。
【０１７６】
幾つかの例証的実施形態では、ロジック５０４は、機械により実行された場合、該機械に本願明細書に記載の方法、処理、及び／又は動作を実行させ得る命令、データ、及び／又はコードを有して良い。機械は、例えば、任意の適切な処理プラットフォーム、コンピューティングプラットフォーム、コンピューティング装置、処理装置、コンピューティングシステム、処理システム、コンピュータ、プロセッサ、等を有しても良く、ハードウェア、ソフトウェア、ファームウェア、等の任意の適切な組合せを用いて実施されても良い。
【０１７７】
幾つかの例証的実施形態では、ロジック５０４は、ソフトウェア、ソフトウェアモジュール、アプリケーション、プログラム、サブルーチン、命令、命令セット、コンピューティングコード、ワード、値、記号、等を有しても良く、それらとして実施されても良い。命令は、ソースコード、コンパイル済みコード、インタープリット済みコード、実行可能コード、スタティックコード、ダイナミックコード、等のような任意の適切な種類のコードを有しても良い。命令は、プロセッサに特定の機能を実行するよう指示する、所定のコンピュータ言語、方法又はシンタックスに従って実装されても良い。命令は、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブラ言語、機械コード、等のような任意の適切な高レベル、低レベル、オブジェクト指向、ビジュアル、コンパイル済み及び／又はインタープリット済みプログラミング言語を用いて実装されても良い。
【実施例】
【０１７８】
＜実施例＞
以下の例は、更なる実施形態に関連する。
【０１７９】
例１は、ユーザ機器（ＵＥ）であって、ＷＬＡＮ（Wireless  Local  Area  Network）通信機と、セルラノードと通信するセルラ通信機と、ＡＮＤＳＦ（Access  Network  Discovery  and  Selection  Function）サーバと通信するＡＮＤＳＦクライアントモジュールと、予め設定される選択基準に基づき、セルラ／ＷＬＡＮアグリゲーションモード及びＡＮＤＳＦモードからＷＬＡＮ移動性モードを選択し、前記ＵＥに前記ＷＬＡＮ移動性モードに従いＷＬＡＮと通信させる制御部と、を有するＵＥを含む。
【０１８０】
例２は、例１の主題を含み、任意的に、前記予め設定される選択基準は、前記ＵＥが前記セルラ／ＷＬＡＮアグリゲーションモードを使用するよう前記セルラノードにより指示されると、前記ＡＮＤＳＦモードより前記セルラ／ＷＬＡＮアグリゲーションモードを選択することを含む。
【０１８１】
例３は、例１又は２の主題を含み、任意的に、前記制御部は、前記セルラ／ＷＬＡＮアグリゲーションモードが選択されると、前記ＡＮＤＳＦクライアントに対するＷＬＡＮ存在指示を無効にする。
【０１８２】
例４は、例１の主題を含み、任意的に、前記予め設定される選択基準は、前記ＡＮＤＳＦクライアントがアクティブＡＮＤＳＦポリシを有するとき、前記セルラ／ＷＬＡＮアグリゲーションモードより前記ＡＮＤＳＦモードを選択することを含む。
【０１８３】
例５は、例１の主題を含み、任意的に、前記予め設定される選択基準は、前記ＡＮＤＳＦクライアントがアクティブＡＮＤＳＦポリシを有するとき、前記ＡＮＤＳＦモードより前記セルラ／ＷＬＡＮアグリゲーションモードを選択することを含む。
【０１８４】
例６は、例１乃至５のいずれか１つの主題を含み、任意的に、前記セルラ／ＷＬＡＮアグリゲーションモードで、前記制御部は、前記セルラノードに固定されるＷＬＡＮアクセス装置との前記ＵＥの通信を制御する。
【０１８５】
例７は、例１乃至６のいずれか１つの主題を含み、任意的に、前記ＡＮＤＳＦモードで、前記制御部は、前記ＡＮＤＳＦサーバからのＡＮＤＳＦポリシに基づき、前記ＷＬＡＮとの前記ＵＥの通信を制御する。
【０１８６】
例８は、例１乃至７のいずれか１つの主題を含み、任意的に、１又は複数のアンテナと、メモリと、プロセッサと、を有する。
【０１８７】
例９は、ユーザ機器（ＵＥ）であって、前記ＵＥは、  ＷＬＡＮ（Wireless  Local  Area  Network）通信機と、セルラノードと通信するセルラ通信機と、ＡＮＤＳＦ（Access  Network  Discovery  and  Selection  Function）サーバから管理オブジェクト（Management  Object：ＭＯ）を受信するＡＮＤＳＦクライアントモジュールであって、前記ＭＯは、セルラ／ＷＬＡＮアグリゲーションモードを示すＷＬＡＮ移動性種類指示子と、前記セルラ／ＷＬＡＮアグリゲーションモードの優先度を示すＷＬＡＮ移動性優先度値と、を含むＷＬＡＮ移動性優先度ノードを有する、ＡＮＤＳＦクライアントモジュールと、前記ＷＬＡＮ移動性優先度値に基づき、前記セルラ／ＷＬＡＮアグリゲーションモードとＡＮＤＳＦモードとの間で選択する制御部と、を有するＵＥを含む。
【０１８８】
例１０は、例９の主題を含み、任意的に、前記ＷＬＡＮ移動性優先度値が所定優先度範囲内にあるとき、前記制御部は、前記セルラ／ＷＬＡＮアグリゲーションモードの前記ＷＬＡＮ移動性優先度値と前記ＡＮＤＳＦモードのＷＬＡＮ移動性優先度値との間の比較に基づき、前記セルラ／ＷＬＡＮアグリゲーションモード及び前記ＡＮＤＳＦモードの間で選択する。
【０１８９】
例１１は、例１０の主題を含み、任意的に、前記優先度範囲は１乃至２５０の間である。
【０１９０】
例１２は、例９乃至１１のいずれか１つの主題を含み、任意的に、前記ＷＬＡＮ移動性優先度値が所定値を含むとき、前記制御部は、前記セルラ／ＷＬＡＮアグリゲーションモードの選択を制限する。
【０１９１】
例１３は、例１２の主題を含み、任意的に、前記所定値は２５４である。
【０１９２】
例１４は、例９乃至１３のいずれか１つの主題を含み、任意的に、前記ＷＬＡＮ移動性優先度値が所定値を含むとき、前記制御部は、前記セルラ／ＷＬＡＮアグリゲーションモードの選択を禁止する。
【０１９３】
例１５は、例１４の主題を含み、任意的に、前記所定値は２５５である。
【０１９４】
例１６は、例９乃至１５のいずれか１つの主題を含み、任意的に、１又は複数のアンテナと、メモリと、プロセッサと、を有する。
【０１９５】
例１７は、ＡＮＤＳＦ（Access  Network  Discovery  and  Selection  Function）サーバであって、１又は複数のＡＮＤＳＦポリシを含むＡＮＤＳＦ管理オブジェクト（Management  Object：ＭＯ）を決定するＡＮＤＳＦポリシモジュールであって、前記ＡＮＤＳＦ  ＭＯは、ＷＬＡＮ（Wireless  Local  Area  Network）移動性優先度ノードを含み、前記ＷＬＡＮ移動性優先度ノードは、セルラ／ＷＬＡＮアグリゲーションモードを示すＷＬＡＮ移動性種類指示子と、前記セルラ／ＷＬＡＮアグリゲーションモードの優先度を示すＷＬＡＮ移動性優先度値と、を含む、ＡＮＤＳＦポリシモジュールと、前記ＡＮＤＳＦ  ＭＯをユーザ機器（ＵＥ）へ送信する通信インタフェースと、を含む。
【０１９６】
例１８は、例１７の主題を含み、任意的に、前記ＡＮＤＳＦポリシモジュールは、前記セルラ／ＷＬＡＮアグリゲーションモードを示す第１ＷＬＡＮ移動性種類指示子及び前記セルラ／ＷＬＡＮアグリゲーションモードの前記優先度を示す第１ＷＬＡＮ移動性優先度値を含む第１ＷＬＡＮ移動性優先度ノードと、ＡＮＤＳＦモードを示す第２ＷＬＡＮ移動性種類指示子及び前記ＡＮＤＳＦモードの優先度を示す第２ＷＬＡＮ移動性優先度値を含む少なくとも１つの第２ＷＬＡＮ移動性優先度ノードと、を含むよう前記ＡＮＤＳＦ  ＭＯを設定する。
【０１９７】
例１９は、例１８の主題を含み、任意的に、ＡＮＤＳＦポリシモジュールは、第１優先度値と第２優先度値との間の比較に基づき、前記ＵＥが前記セルラ／ＷＬＡＮアグリゲーションモードと前記ＡＮＤＳＦモードとの間で選択すべきであることを示すために、所定優先度範囲内の第１値を有するよう前記第１優先度値を設定し、前記所定優先度範囲内の第２値を有するよう前記第２優先度値を設定する。
【０１９８】
例２０は、例１９の主題を含み、任意的に、前記優先度範囲は１乃至２５０の間である。
【０１９９】
例２１は、例１７乃至２０のいずれか１つの主題を含み、任意的に、前記ＡＮＤＳＦポリシモジュールは、前記ＵＥが前記セルラ／ＷＬＡＮアグリゲーションモードの選択を制限すべきことを示すために所定値に前記ＷＬＡＮ移動性優先度値を設定する。
【０２００】
例２２は、例２１の主題を含み、任意的に、前記所定値は２５４である。
【０２０１】
例２３は、例１７乃至２２のいずれか１つの主題を含み、任意的に、前記ＡＮＤＳＦポリシモジュールは、前記ＵＥが前記セルラ／ＷＬＡＮアグリゲーションモードの選択を禁止されることを示すために所定値に前記ＷＬＡＮ移動性優先度値を設定する。
【０２０２】
例２４は、例２３の主題を含み、任意的に、前記所定値は２５５である。
【０２０３】
例２５は、例１７乃至２４のいずれか１つの主題を含み、任意的に、メモリとプロセッサとを有する。
【０２０４】
例２６は、ユーザ機器（ＵＥ）であって、ＷＬＡＮ（Wireless  Local  Area  Network）通信機と、セルラノードと通信するセルラ通信機と、ＡＮＤＳＦ（Access  Network  Discovery  and  Selection  Function）サーバから管理オブジェクト（ＭＯ）を受信するＡＮＤＳＦクライアントモジュールであって、前記ＭＯは、セルラ／ＷＬＡＮアグリゲーションモード及びＡＮＤＳＦモードの間の選好度を示すＷＬＡＮ移動性モード選好度を含む、ＡＮＤＳＦクライアントモジュールと、前記ＷＬＡＮ移動性モード選好度に基づき、前記セルラ／ＷＬＡＮアグリゲーションモード及び前記ＡＮＤＳＦモードの間で選択する制御部と、を有するＵＥを含む。
【０２０５】
例２７は、例２６の主題を含み、任意的に、前記制御部は、前記ＷＬＡＮ移動性モード選好度が前記セルラ／ＷＬＡＮアグリゲーションモードが望ましいことを示し、及び前記ＵＥが前記セルラ／ＷＬＡＮアグリゲーションモードを使用するようセルラノードにより命令されるとき、前記ＡＮＤＳＦモードより前記セルラ／ＷＬＡＮアグリゲーションモードを選択する。
【０２０６】
例２８は、例２６又は２７の主題を含み、任意的に、前記制御部は、前記ＷＬＡＮ移動性モード選好度が前記セルラ／ＷＬＡＮアグリゲーションモードが望ましいことを示し、及び前記ＵＥが前記セルラ／ＷＬＡＮアグリゲーションモードを使用するようセルラノードにより命令されるとき、前記ＡＮＤＳＦクライアントに対するＷＬＡＮ存在指示を無効にする。
【０２０７】
例２９は、例２６乃至２８のいずれか１つの主題を含み、任意的に、前記制御部は、前記ＷＬＡＮ移動性モード選好度が前記ＡＮＤＳＦモードが望ましいことを示し、及び前記ＡＮＤＳＦクライアントがアクティブＡＮＤＳＦポリシを有するとき、前記セルラ／ＷＬＡＮアグリゲーションモードより前記ＡＮＤＳＦモードを選択する。
【０２０８】
例３０は、例２６乃至２９のいずれか１つの主題を含み、任意的に、前記ＷＬＡＮ移動性モード選好度が前記ＡＮＤＳＦモードが望ましいことを示すとき、前記制御部は、前記ＡＮＤＳＦクライアントがアクティブＡＮＤＳＦポリシを有しないときのみ、前記ＡＮＤＳＦモードより前記セルラ／ＷＬＡＮアグリゲーションモードを選択する。
【０２０９】
例３１は、例２６乃至３０のいずれか１つの主題を含み、任意的に、１又は複数のアンテナと、メモリと、プロセッサと、を有する。
【０２１０】
例３２は、ユーザ機器（ＵＥ）により実行される方法であって、前記方法は、セルラノードと通信するステップと、セルラ／ＷＬＡＮ（Wireless  Local  Area  Network）アグリゲーションモード及びＡＮＤＳＦ（Access  Network  Discovery  and  Selection  Function）モードから、予め設定される選択基準に基づきＷＬＡＮ移動性モードを選択するステップと、前記ＷＬＡＮ移動性モードに従いＷＬＡＮと通信するステップと、を有する。
【０２１１】
例３３は、例３２の主題を含み、任意的に、前記予め設定される選択基準は、前記ＵＥが前記セルラ／ＷＬＡＮアグリゲーションモードを使用するよう前記セルラノードにより指示されると、前記ＡＮＤＳＦモードより前記セルラ／ＷＬＡＮアグリゲーションモードを選択することを含む。
【０２１２】
例３４は、例３２又は３３の主題を含み、任意的に、前記セルラ／ＷＬＡＮアグリゲーションモードが選択されると、ＡＮＤＳＦクライアントに対するＷＬＡＮ存在指示を無効にするステップ、を有する。
【０２１３】
例３５は、例３２の主題を含み、任意的に、前記予め設定される選択基準は、アクティブＡＮＤＳＦポリシが前記ＵＥにおいて利用可能であるとき、前記セルラ／ＷＬＡＮアグリゲーションモードより前記ＡＮＤＳＦモードを選択することを含む。
【０２１４】
例３６は、例３２の主題を含み、任意的に、前記予め設定される選択基準は、前記ＵＥがアクティブＡＮＤＳＦポリシを有しないとき、前記ＡＮＤＳＦモードより前記セルラ／ＷＬＡＮアグリゲーションモードを選択することを含む。
【０２１５】
例３７は、例３２乃至３６のいずれか１つの主題を含み、任意的に、前記セルラ／ＷＬＡＮアグリゲーションモードで、前記セルラノードに固定されるＷＬＡＮアクセス装置との前記ＵＥの通信を制御するステップを有する。
【０２１６】
例３８は、例３２乃至３７のいずれか１つの主題を含み、任意的に、前記ＡＮＤＳＦモードで、前記ＡＮＤＳＦサーバからのＡＮＤＳＦポリシに基づき、前記ＷＬＡＮとの前記ＵＥの通信を制御するステップを有する。
【０２１７】
例３９は、ユーザ機器（ＵＥ）により実行される方法であって、前記方法は、ＡＮＤＳＦ（Access  Network  Discovery  and  Selection  Function）サーバから管理オブジェクト（Management  Object：ＭＯ）を受信するステップであって、前記ＭＯは、セルラ／ＷＬＡＮアグリゲーションモードを示すＷＬＡＮ移動性種類指示子と、前記セルラ／ＷＬＡＮアグリゲーションモードの優先度を示すＷＬＡＮ移動性優先度値と、を含むＷＬＡＮ移動性優先度ノードを有する、ステップと、前記ＷＬＡＮ移動性優先度値に基づき、前記セルラ／ＷＬＡＮアグリゲーションモードとＡＮＤＳＦモードとの間で選択するステップと、前記ＷＬＡＮ移動性モードに従いＷＬＡＮと通信するステップと、を有する方法。
【０２１８】
例４０は、例３９の主題を含み、任意的に、前記ＷＬＡＮ移動性優先度値が所定優先度範囲内にあるとき、前記セルラ／ＷＬＡＮアグリゲーションモードの前記ＷＬＡＮ移動性優先度値と前記ＡＮＤＳＦモードのＷＬＡＮ移動性優先度値との間の比較に基づき、前記セルラ／ＷＬＡＮアグリゲーションモード及び前記ＡＮＤＳＦモードの間で選択するステップを有する。
【０２１９】
例４１は、例４０の主題を含み、任意的に、前記優先度範囲は１乃至２５０の間である。
【０２２０】
例４２は、例３９乃至４１のいずれか１つの主題を含み、任意的に、前記ＷＬＡＮ移動性優先度値が所定値を含むとき、前記セルラ／ＷＬＡＮアグリゲーションモードの選択を制限するステップを有する。
【０２２１】
例４３は、例４２の主題を含み、任意的に、前記所定値は２５４である。
【０２２２】
例４４は、例３９乃至４３のいずれか１つの主題を含み、任意的に、前記ＷＬＡＮ移動性優先度値が所定値を含むとき、前記セルラ／ＷＬＡＮアグリゲーションモードの選択を禁止するステップを有する。
【０２２３】
例４５は、例４４の主題を含み、任意的に、前記所定値は２５５である。
【０２２４】
例４６は、ＡＮＤＳＦ（Access  Network  Discovery  and  Selection  Function）サーバにより実行される方法であって、前記方法は、１又は複数のＡＮＤＳＦポリシを含むＡＮＤＳＦ管理オブジェクト（Management  Object：ＭＯ）を決定するステップであって、前記ＡＮＤＳＦ  ＭＯは、ＷＬＡＮ（Wireless  Local  Area  Network）移動性優先度ノードを含み、前記ＷＬＡＮ移動性優先度ノードは、セルラ／ＷＬＡＮアグリゲーションモードを示すＷＬＡＮ移動性種類指示子と、前記セルラ／ＷＬＡＮアグリゲーションモードの優先度を示すＷＬＡＮ移動性優先度値と、を含む、ステップと、前記ＡＮＤＳＦ  ＭＯをユーザ機器（ＵＥ）へ送信するステップと、を含む方法を含む。
【０２２５】
例４７は、例４６の主題を含み、任意的に、前記セルラ／ＷＬＡＮアグリゲーションモードを示す第１ＷＬＡＮ移動性種類指示子及び前記セルラ／ＷＬＡＮアグリゲーションモードの前記優先度を示す第１ＷＬＡＮ移動性優先度値を含む第１ＷＬＡＮ移動性優先度ノードと、ＡＮＤＳＦモードを示す第２ＷＬＡＮ移動性種類指示子及び前記ＡＮＤＳＦモードの優先度を示す第２ＷＬＡＮ移動性優先度値を含む少なくとも１つの第２ＷＬＡＮ移動性優先度ノードと、を含むよう前記ＡＮＤＳＦ  ＭＯを設定するステップ、を含む。
【０２２６】
例４８は、例４７の主題を含み、任意的に、第１優先度値と第２優先度値との間の比較に基づき、前記ＵＥが前記セルラ／ＷＬＡＮアグリゲーションモードと前記ＡＮＤＳＦモードとの間で選択すべきであることを示すために、所定優先度範囲内の第１値を有するよう前記第１優先度値を設定し、前記所定優先度範囲内の第２値を有するよう前記第２優先度値を設定するステップ、を有する。
【０２２７】
例４９は、例４８の主題を含み、任意的に、前記優先度範囲は１乃至２５０の間である。
【０２２８】
例５０は、例４６の主題を含み、任意的に、前記ＵＥが前記セルラ／ＷＬＡＮアグリゲーションモードの選択を制限するべきであると示す所定値に前記ＷＬＡＮ移動性優先度値を設定するステップ、を有する。
【０２２９】
例５１は、例５０の主題を含み、任意的に、前記所定値は２５４である。
【０２３０】
例５２は、例４６の主題を含み、任意的に、前記ＵＥが前記セルラ／ＷＬＡＮアグリゲーションモードの選択を禁止されるべきであると示す所定値に前記ＷＬＡＮ移動性優先度値を設定するステップ、を有する。
【０２３１】
例５３は、例５２の主題を含み、任意的に、前記所定値は２５５である。
【０２３２】
例５４は、ユーザ機器（ＵＥ）において実施される方法であって、前記方法は、ＡＮＤＳＦ（Access  Network  Discovery  and  Selection  Function）サーバから管理オブジェクト（Management  Object：ＭＯ）を受信するステップであって、前記ＭＯは、セルラ／ＷＬＡＮ（Wireless  Local  Area  Network）アグリゲーションモードとＡＮＤＳＦモードとの間の選好を示すＷＬＡＮ移動性モード選好度を含む、ステップと、前記ＷＬＡＮ移動性モード選好度に基づき、前記セルラ／ＷＬＡＮアグリゲーションモードと前記ＡＮＤＳＦモードとの間で選択するステップと、を有する。
【０２３３】
例５５は、例５４の主題を含み、任意的に、前記ＷＬＡＮ移動性モード選好度が前記セルラ／ＷＬＡＮアグリゲーションモードが望ましいことを示し、及び前記ＵＥが前記セルラ／ＷＬＡＮアグリゲーションモードを使用するようセルラノードにより命令されるとき、前記ＡＮＤＳＦモードより前記セルラ／ＷＬＡＮアグリゲーションモードを選択するステップを有する。
【０２３４】
例５６は、例５４又は５５の主題を含み、任意的に、前記ＷＬＡＮ移動性モード選好度が前記セルラ／ＷＬＡＮアグリゲーションモードが望ましいことを示し、及び前記ＵＥが前記セルラ／ＷＬＡＮアグリゲーションモードを使用するようセルラノードにより命令されるとき、前記ＡＮＤＳＦクライアントに対するＷＬＡＮ存在指示を無効にするステップを有する。
【０２３５】
例５７は、例５４乃至５６のいずれか１つの主題を含み、任意的に、前記ＷＬＡＮ移動性モード選好度が前記ＡＮＤＳＦモードが望ましいことを示し、及びアクティブＡＮＤＳＦポリシが前記ＵＥにおいて利用可能であるとき、前記セルラ／ＷＬＡＮアグリゲーションモードより前記ＡＮＤＳＦモードを選択するステップを有する。
【０２３６】
例５８は、例５４乃至５７のいずれか１つの主題を含み、任意的に、前記ＷＬＡＮ移動性モード選好度が前記ＡＮＤＳＦモードが望ましいことを示すとき、アクティブＡＮＤＳＦポリシが前記ＵＥにおいて利用可能でないときのみ、前記ＡＮＤＳＦモードより前記セルラ／ＷＬＡＮアグリゲーションモードを選択するステップを有する。
【０２３７】
例５９は、コンピュータ実行可能命令を有する１又は複数の有形コンピュータ可読非一時的記憶媒体を含む製品であって、前記コンピュータ実行可能命令は、少なくとも１つのコンピュータプロセッサにより実行されると、少なくとも１つのコンピュータプロセッサに、ユーザ機器（ＵＥ）において方法を実施し、前記方法は、セルラノードと通信するステップと、セルラ／ＷＬＡＮ（Wireless  Local  Area  Network）アグリゲーションモード及びＡＮＤＳＦ（Access  Network  Discovery  and  Selection  Function）モードから、予め設定される選択基準に基づきＷＬＡＮ移動性モードを選択するステップと、前記ＷＬＡＮ移動性モードに従いＷＬＡＮと通信するステップと、を有する、製品を含む。
【０２３８】
例６０は、例５９の主題を含み、任意的に、前記予め設定される選択基準は、前記ＵＥが前記セルラ／ＷＬＡＮアグリゲーションモードを使用するよう前記セルラノードにより指示されると、前記ＡＮＤＳＦモードより前記セルラ／ＷＬＡＮアグリゲーションモードを選択することを含む。
【０２３９】
例６１は、例５９又は６０の主題を含み、任意的に、前記方法は、前記セルラ／ＷＬＡＮアグリゲーションモードが選択されると、ＡＮＤＳＦクライアントに対するＷＬＡＮ存在指示を無効にするステップ、を有する。
【０２４０】
例６２は、例５９の主題を含み、任意的に、前記予め設定される選択基準は、アクティブＡＮＤＳＦポリシが前記ＵＥにおいて利用可能であるとき、前記セルラ／ＷＬＡＮアグリゲーションモードより前記ＡＮＤＳＦモードを選択することを含む。
【０２４１】
例６３は、例５９の主題を含み、任意的に、前記予め設定される選択基準は、前記ＵＥがアクティブＡＮＤＳＦポリシを有しないとき、前記ＡＮＤＳＦモードより前記セルラ／ＷＬＡＮアグリゲーションモードを選択することを含む。
【０２４２】
例６４は、例５９乃至６３のいずれか１つの主題を含み、任意的に、前記方法は、前記セルラ／ＷＬＡＮアグリゲーションモードで、前記セルラノードに固定されるＷＬＡＮアクセス装置との前記ＵＥの通信を制御するステップを有する。
【０２４３】
例６５は、例５９乃至６４のいずれか１つの主題を含み、任意的に、前記方法は、前記ＡＮＤＳＦモードで、前記ＡＮＤＳＦサーバからのＡＮＤＳＦポリシに基づき、前記ＷＬＡＮとの前記ＵＥの通信を制御するステップを有する。
【０２４４】
例６６は、コンピュータ実行可能命令を有する１又は複数の有形コンピュータ可読非一時的記憶媒体を含む製品であって、前記コンピュータ実行可能命令は、少なくとも１つのコンピュータプロセッサにより実行されると、少なくとも１つのコンピュータプロセッサに、ユーザ機器（ＵＥ）において方法を実施させ、前記方法は、ＡＮＤＳＦ（Access  Network  Discovery  and  Selection  Function）サーバから管理オブジェクト（Management  Object：ＭＯ）を受信するステップであって、前記ＭＯは、セルラ／ＷＬＡＮアグリゲーションモードを示すＷＬＡＮ移動性種類指示子と、前記セルラ／ＷＬＡＮアグリゲーションモードの優先度を示すＷＬＡＮ移動性優先度値と、を含むＷＬＡＮ移動性優先度ノードを有する、ステップと、前記ＷＬＡＮ移動性優先度値に基づき、前記セルラ／ＷＬＡＮアグリゲーションモードとＡＮＤＳＦモードとの間で選択するステップと、前記ＷＬＡＮ移動性モードに従いＷＬＡＮと通信するステップと、を有する。
【０２４５】
例６７は、例６６の主題を含み、任意的に、前記方法は、前記ＷＬＡＮ移動性優先度値が所定優先度範囲内にあるとき、前記セルラ／ＷＬＡＮアグリゲーションモードの前記ＷＬＡＮ移動性優先度値と前記ＡＮＤＳＦモードのＷＬＡＮ移動性優先度値との間の比較に基づき、前記セルラ／ＷＬＡＮアグリゲーションモード及び前記ＡＮＤＳＦモードの間で選択するステップを有する。
【０２４６】
例６８は、例６７の主題を含み、任意的に、前記優先度範囲は１乃至２５０の間である。
【０２４７】
例６９は、例６６乃至６８のいずれか１つの主題を含み、任意的に、前記方法は、前記ＷＬＡＮ移動性優先度値が所定値を含むとき、前記制御部は、前記セルラ／ＷＬＡＮアグリゲーションモードの選択を制限するステップを有する。
【０２４８】
例７０は、例６９の主題を含み、任意的に、前記所定値は２５４である。
【０２４９】
例７１は、例６６乃至７０のいずれか１つの主題を含み、任意的に、前記方法は、前記ＷＬＡＮ移動性優先度値が所定値を含むとき、前記セルラ／ＷＬＡＮアグリゲーションモードの選択を禁止するステップを有する。
【０２５０】
例７２は、例７１の主題を含み、任意的に、前記所定値は２５５である。
【０２５１】
例７３は、コンピュータ実行可能命令を有する１又は複数の有形コンピュータ可読非一時的記憶媒体を含む製品であって、前記コンピュータ実行可能命令は、少なくとも１つのコンピュータプロセッサにより実行されると、少なくとも１つのコンピュータプロセッサに、ＡＮＤＳＦ（Access  Network  Discovery  and  Selection  Function）サーバにおいて方法を実施させ、前記方法は、１又は複数のＡＮＤＳＦポリシを有するＡＮＤＳＦ管理オブジェクト（Management  Object：ＭＯ）を決定するステップであって、前記ＡＮＤＳＦ  ＭＯは、セルラ／ＷＬＡＮアグリゲーションモードを示すＷＬＡＮ移動性種類指示子と、前記セルラ／ＷＬＡＮアグリゲーションモードの優先度を示すＷＬＡＮ移動性優先度値と、を含むＷＬＡＮ移動性優先度ノードを有する、ステップと、ユーザ機器（ＵＥ）へ前記ＡＮＤＳＦ  ＭＯを送信するステップと、を有する。
【０２５２】
例７４は、例７３の主題を含み、任意的に、前記方法は、前記セルラ／ＷＬＡＮアグリゲーションモードを示す第１ＷＬＡＮ移動性種類指示子及び前記セルラ／ＷＬＡＮアグリゲーションモードの前記優先度を示す第１ＷＬＡＮ移動性優先度値を含む第１ＷＬＡＮ移動性優先度ノードと、ＡＮＤＳＦモードを示す第２ＷＬＡＮ移動性種類指示子及び前記ＡＮＤＳＦモードの優先度を示す第２ＷＬＡＮ移動性優先度値を含む少なくとも１つの第２ＷＬＡＮ移動性優先度ノードと、を含むよう前記ＡＮＤＳＦ  ＭＯを設定するステップを有する。
【０２５３】
例７５は、例７４の主題を含み、任意的に、前記方法は、第１優先度値と第２優先度値との間の比較に基づき、前記ＵＥが前記セルラ／ＷＬＡＮアグリゲーションモードと前記ＡＮＤＳＦモードとの間で選択すべきであることを示すために、所定優先度範囲内の第１値を有するよう前記第１優先度値を設定し、前記所定優先度範囲内の第２値を有するよう前記第２優先度値を設定するステップ、を有する。
【０２５４】
例７６は、例７５の主題を含み、任意的に、前記優先度範囲は１乃至２５０の間である。
【０２５５】
例７７は、例７３の主題を含み、任意的に、前記方法は、前記ＵＥが前記セルラ／ＷＬＡＮアグリゲーションモードの選択を制限すべきであると示す所定値に前記ＷＬＡＮ移動性優先度値を設定するステップ、を有する。
【０２５６】
例７８は、例７７の主題を含み、任意的に、前記所定値は２５４である。
【０２５７】
例７９は、例７３の主題を含み、任意的に、前記方法は、前記ＵＥが前記セルラ／ＷＬＡＮアグリゲーションモードの選択を禁止されると示す所定値に前記ＷＬＡＮ移動性優先度値を設定するステップ、を有する。
【０２５８】
例８０は、例７９の主題を含み、任意的に、前記所定値は２５５である。
【０２５９】
例８１は、コンピュータ実行可能命令を有する１又は複数の有形コンピュータ可読非一時的記憶媒体を含む製品であって、前記コンピュータ実行可能命令は、少なくとも１つのコンピュータプロセッサにより実行されると、少なくとも１つのコンピュータプロセッサに、ユーザ機器（ＵＥ）において方法を実施し、前記方法は、ＡＮＤＳＦ（Access  Network  Discovery  and  Selection  Function）サーバから管理オブジェクト（ＭＯ）を受信するステップであって、前記ＭＯは、セルラ／ＷＬＡＮ（Wireless  Local  Area  Network）アグリゲーションモード及びＡＮＤＳＦモードとの間の選好度を示すＷＬＡＮ移動性モード選好度を含む、ステップと、前記ＷＬＡＮ移動性モード選好度に基づき前記に基づきセルラ／ＷＬＡＮアグリゲーションモードと前記ＡＮＤＳＦモードとの間で選択するステップと、を有する、製品を含む。
【０２６０】
例８２は、例８１の主題を含み、任意的に、前記方法は、前記ＷＬＡＮ移動性モード選好度が前記セルラ／ＷＬＡＮアグリゲーションモードが望ましいことを示し、及び前記ＵＥが前記セルラ／ＷＬＡＮアグリゲーションモードを使用するようセルラノードにより命令されるとき、前記ＡＮＤＳＦモードより前記セルラ／ＷＬＡＮアグリゲーションモードを選択するステップを有する。
【０２６１】
例８３は、例８１又は８２の主題を含み、任意的に、前記方法は、前記ＷＬＡＮ移動性モード選好度が前記セルラ／ＷＬＡＮアグリゲーションモードが望ましいことを示し、及び前記ＵＥが前記セルラ／ＷＬＡＮアグリゲーションモードを使用するようセルラノードにより命令されるとき、前記ＡＮＤＳＦクライアントに対するＷＬＡＮ存在指示を無効にするステップを有する。
【０２６２】
例８４は、例８１乃至８３のいずれか１つの主題を含み、任意的に、前記方法は、前記ＷＬＡＮ移動性モード選好度が前記ＡＮＤＳＦモードが望ましいことを示し、及びアクティブＡＮＤＳＦポリシが前記ＵＥにおいて利用可能であるとき、前記セルラ／ＷＬＡＮアグリゲーションモードより前記ＡＮＤＳＦモードを選択するステップを有する。
【０２６３】
例８５は、例８１乃至８４のいずれか１つの主題を含み、任意的に、前記方法は、前記ＷＬＡＮ移動性モード選好度が前記ＡＮＤＳＦモードが望ましいことを示すとき、アクティブＡＮＤＳＦポリシが前記ＵＥにおいて利用可能でないときのみ、前記ＡＮＤＳＦモードより前記セルラ／ＷＬＡＮアグリゲーションモードを選択するステップを有する。
【０２６４】
例８６は、ユーザ機器（ＵＥ）により通信する装置であって、前記装置は、セルラノードと通信する手段と、セルラ／ＷＬＡＮ（Wireless  Local  Area  Network）アグリゲーションモード及びＡＮＤＳＦ（Access  Network  Discovery  and  Selection  Function）モードから、予め設定される選択基準に基づきＷＬＡＮ移動性モードを選択する手段と、前記ＷＬＡＮ移動性モードに従いＷＬＡＮと通信する手段と、を有する。
【０２６５】
例８７は、例８６の主題を含み、任意的に、前記予め設定される選択基準は、前記ＵＥが前記セルラ／ＷＬＡＮアグリゲーションモードを使用するよう前記セルラノードにより指示されると、前記ＡＮＤＳＦモードより前記セルラ／ＷＬＡＮアグリゲーションモードを選択することを含む。
【０２６６】
例８８は、例８６又は８７の主題を含み、任意的に、前記セルラ／ＷＬＡＮアグリゲーションモードが選択されると、ＡＮＤＳＦクライアントに対するＷＬＡＮ存在指示を無効にする手段、を有する。
【０２６７】
例８９は、例８６の主題を含み、任意的に、前記予め設定される選択基準は、アクティブＡＮＤＳＦポリシが前記ＵＥにおいて利用可能であるとき、前記セルラ／ＷＬＡＮアグリゲーションモードより前記ＡＮＤＳＦモードを選択することを含む。
【０２６８】
例９０は、例８６の主題を含み、任意的に、前記予め設定される選択基準は、前記ＵＥがアクティブＡＮＤＳＦポリシを有しないとき、前記ＡＮＤＳＦモードより前記セルラ／ＷＬＡＮアグリゲーションモードを選択することを含む。
【０２６９】
例９１は、例８６乃至９０のいずれか１つの主題を含み、任意的に、前記セルラ／ＷＬＡＮアグリゲーションモードで、前記セルラノードに固定されるＷＬＡＮアクセス装置との前記ＵＥの通信を制御する手段を有する。
【０２７０】
例９２は、例８６乃至９１のいずれか１つの主題を含み、任意的に、前記ＡＮＤＳＦモードで、前記ＡＮＤＳＦサーバからのＡＮＤＳＦポリシに基づき、前記ＷＬＡＮとの前記ＵＥの通信を制御する手段を有する。
【０２７１】
例９３は、ユーザ機器（ＵＥ）により通信する装置であって、前記装置は、ＡＮＤＳＦ（Access  Network  Discovery  and  Selection  Function）サーバから管理オブジェクト（Management  Object：ＭＯ）を受信する手段であって、前記ＭＯは、セルラ／ＷＬＡＮアグリゲーションモードを示すＷＬＡＮ移動性種類指示子と、前記セルラ／ＷＬＡＮアグリゲーションモードの優先度を示すＷＬＡＮ移動性優先度値と、を含むＷＬＡＮ移動性優先度ノードを有する、手段と、前記ＷＬＡＮ移動性優先度値に基づき、前記セルラ／ＷＬＡＮアグリゲーションモードとＡＮＤＳＦモードとの間で選択する手段と、前記ＷＬＡＮ移動性モードに従いＷＬＡＮと通信する手段と、を有する装置を含む。
【０２７２】
例９４は、例９３の主題を含み、任意的に、前記ＷＬＡＮ移動性優先度値が所定優先度範囲内にあるとき、前記セルラ／ＷＬＡＮアグリゲーションモードの前記ＷＬＡＮ移動性優先度値と前記ＡＮＤＳＦモードのＷＬＡＮ移動性優先度値との間の比較に基づき、前記セルラ／ＷＬＡＮアグリゲーションモード及び前記ＡＮＤＳＦモードの間で選択するステップを有する。
【０２７３】
例９５は、例９４の主題を含み、任意的に、前記優先度範囲は１乃至２５０の間である。
【０２７４】
例９６は、例９３の主題を含み、任意的に、前記ＷＬＡＮ移動性優先度値が所定値を含むとき、前記セルラ／ＷＬＡＮアグリゲーションモードの選択を制限する手段を有する。
【０２７５】
例９７は、例９６の主題を含み、任意的に、前記所定値は２５４である。
【０２７６】
例９８は、例９３乃至９７のいずれか１つの主題を含み、任意的に、前記ＷＬＡＮ移動性優先度値が所定値を含むとき、前記セルラ／ＷＬＡＮアグリゲーションモードの選択を禁止する手段を有する。
【０２７７】
例９９は、例９８の主題を含み、任意的に、前記所定値は２５５である。
【０２７８】
例１００は、ＡＮＤＳＦ（Access  Network  Discovery  and  Selection  Function）サーバによりＡＮＤＳＦサービスを提供する装置であって、前記装置は、１又は複数のＡＮＤＳＦポリシを含むＡＮＤＳＦ管理オブジェクト（Management  Object：ＭＯ）を決定する手段であって、前記ＡＮＤＳＦ  ＭＯは、ＷＬＡＮ（Wireless  Local  Area  Network）移動性優先度ノードを含み、前記ＷＬＡＮ移動性優先度ノードは、セルラ／ＷＬＡＮアグリゲーションモードを示すＷＬＡＮ移動性種類指示子と、前記セルラ／ＷＬＡＮアグリゲーションモードの優先度を示すＷＬＡＮ移動性優先度値と、を含む、手段と、前記ＡＮＤＳＦ  ＭＯをユーザ機器（ＵＥ）へ送信する手段と、を含む装置を含む。
【０２７９】
例１０１は、例１００の主題を含み、任意的に、前記セルラ／ＷＬＡＮアグリゲーションモードを示す第１ＷＬＡＮ移動性種類指示子及び前記セルラ／ＷＬＡＮアグリゲーションモードの前記優先度を示す第１ＷＬＡＮ移動性優先度値を含む第１ＷＬＡＮ移動性優先度ノードと、ＡＮＤＳＦモードを示す第２ＷＬＡＮ移動性種類指示子及び前記ＡＮＤＳＦモードの優先度を示す第２ＷＬＡＮ移動性優先度値を含む少なくとも１つの第２ＷＬＡＮ移動性優先度ノードと、を含むよう前記ＡＮＤＳＦ  ＭＯを設定する手段、を含む。
【０２８０】
例１０２は、例１０１の主題を含み、任意的に、第１優先度値と第２優先度値との間の比較に基づき、前記ＵＥが前記セルラ／ＷＬＡＮアグリゲーションモードと前記ＡＮＤＳＦモードとの間で選択すべきであることを示すために、所定優先度範囲内の第１値を有するよう前記第１優先度値を設定し、前記所定優先度範囲内の第２値を有するよう前記第２優先度値を設定する手段、を有する。
【０２８１】
例１０３は、例１０２の主題を含み、任意的に、前記優先度範囲は１乃至２５０の間である。
【０２８２】
例１０４は、例１００の主題を含み、任意的に、前記ＵＥが前記セルラ／ＷＬＡＮアグリゲーションモードの選択を制限するべきであると示す所定値に前記ＷＬＡＮ移動性優先度値を設定する手段、を有する。
【０２８３】
例１０５は、例１０４の主題を含み、任意的に、前記所定値は２５４である。
【０２８４】
例１０６は、例１００の主題を含み、任意的に、前記ＵＥが前記セルラ／ＷＬＡＮアグリゲーションモードの選択を禁止されるべきであると示す所定値に前記ＷＬＡＮ移動性優先度値を設定する手段、を有する。
【０２８５】
例１０７は、例１０６の主題を含み、任意的に、前記所定値は２５５である。
【０２８６】
例１０８は、ユーザ機器（ＵＥ）により通信する装置であって、前記装置は、ＡＮＤＳＦ（Access  Network  Discovery  and  Selection  Function）サーバから管理オブジェクト（Management  Object：ＭＯ）を受信する手段であって、前記ＭＯは、セルラ／ＷＬＡＮ（Wireless  Local  Area  Network）アグリゲーションモードとＡＮＤＳＦモードとの間の選好を示すＷＬＡＮ移動性モード選好度を含む、手段と、前記ＷＬＡＮ移動性モード選好度に基づき、前記セルラ／ＷＬＡＮアグリゲーションモードと前記ＡＮＤＳＦモードとの間で選択する手段と、を有する。
【０２８７】
例１０９は、例１０８の主題を含み、任意的に、前記ＷＬＡＮ移動性モード選好度が前記セルラ／ＷＬＡＮアグリゲーションモードが望ましいことを示し、及び前記ＵＥが前記セルラ／ＷＬＡＮアグリゲーションモードを使用するようセルラノードにより命令されるとき、前記ＡＮＤＳＦモードより前記セルラ／ＷＬＡＮアグリゲーションモードを選択する手段を有する。
【０２８８】
例１１０は、例１０８又は１０９の主題を含み、任意的に、前記ＷＬＡＮ移動性モード選好度が前記セルラ／ＷＬＡＮアグリゲーションモードが望ましいことを示し、及び前記ＵＥが前記セルラ／ＷＬＡＮアグリゲーションモードを使用するようセルラノードにより命令されるとき、前記ＡＮＤＳＦクライアントに対するＷＬＡＮ存在指示を無効にする手段を有する。
【０２８９】
例１１１は、例１０８乃至１１０のいずれか１つの主題を含み、任意的に、前記ＷＬＡＮ移動性モード選好度が前記ＡＮＤＳＦモードが望ましいことを示し、及びアクティブＡＮＤＳＦポリシが前記ＵＥにおいて利用可能であるとき、前記セルラ／ＷＬＡＮアグリゲーションモードより前記ＡＮＤＳＦモードを選択する手段を有する。
【０２９０】
例１１２は、例１０８乃至１１１のいずれか１つの主題を含み、任意的に、前記ＷＬＡＮ移動性モード選好度が前記ＡＮＤＳＦモードが望ましいことを示すとき、アクティブＡＮＤＳＦポリシが前記ＵＥにおいて利用可能でないときのみ、前記ＡＮＤＳＦモードより前記セルラ／ＷＬＡＮアグリゲーションモードを選択する手段を有する。
【０２９１】
１又は複数の実施形態を参照して本願明細書に記載された機能、動作、コンポーネント、及び／又は特徴は、１又は複数の他の実施形態を参照して本願明細書に記載された１又は複数の他の機能、動作、コンポーネント、及び／又は特徴と結合されて良く、又はそれらと組み合わせて用いられて良い。逆も同様である。
【０２９２】
特定の特徴が本願明細書に示され記載されたが、多くの変更、代替、変化、及び等価なものが当業者に明らかである。したがって、添付の特許請求の範囲は本開示の真の精神の範囲内に包含される全てのこのような変更及び変化を包含することが理解される。
【図１】
0006449471.tif 000004
【図２】
0006449471.tif 000005
【図３】
0006449471.tif 000006
【図４】
0006449471.tif 000007
【図５】
0006449471.tif 000008